(57)【要約】  呼吸可能なガスの流れを加湿する装置のための水リザーバは、液体の体積を保持するような構造にされたキャビティおよび前記ベースへ設けられた伝導性部位を含むリザーバベースを含む。伝導性部位は、加熱板から液体の体積への熱の熱伝導が可能となるように、加熱板と熱係合するように適合される。伝導性部位は、非金属製材料を含む薄膜を含み、薄膜は、約１ｍｍ未満の壁厚さを含む。
2019536545.tif 000002
【特許請求の範囲】
【請求項１】
呼吸可能なガスの流れを加湿する装置のための水リザーバであって、
液体の体積を保持するような構造にされたキャビティを含むリザーバベースと、
前記リザーバベースへ設けられた伝導性部位であって、前記伝導性部位は、加熱板から前記液体の体積への熱の熱伝導が可能となるように前記加熱板と熱係合するように適合される、伝導性部位と、
を含み、
前記伝導性部位は、非金属製材料を含む薄膜を含み、
前記薄膜は、約１ｍｍ未満の壁厚さを含む、水リザーバ。
【請求項２】
前記壁厚さは約０．５ｍｍ未満である、請求項１に記載の水リザーバ。
【請求項３】
前記薄膜は、シリコーン、ポリカーボネートまたは他の熱可塑性材料またはエラストマー材料を含む、請求項１〜２のいずれか一項に記載の水リザーバ。
【請求項４】
前記薄膜は、前記リザーバベースと別個かつ区別可能な構造として設けられる、請求項１〜３のいずれか一項に記載の水リザーバ。
【請求項５】
前記薄膜は、前記リザーバベースへ固定されるかまたは他の方法で固定された事前形成された構造を含む、請求項１〜４のいずれか一項に記載の水リザーバ。
【請求項６】
前記リザーバベースは、前記薄膜を受容するような構造にされた穴を含む、請求項１〜５のいずれか一項に記載の水リザーバ。
【請求項７】
前記薄膜は、前記穴の形状に対応する形状を含む、請求項６に記載の水リザーバ。
【請求項８】
前記薄膜は、概して平面状である、請求項１〜７のいずれか一項に記載の水リザーバ。
【請求項９】
前記薄膜は、前記液体の体積へ露出された前記水リザーバの底内面を形成するように適合された第１の側部と、前記第１の側部に対向する第２の側部とを含み、前記第２の側部は、前記加熱板へ露出された前記水リザーバの底外面を形成するように適合される、請求項１〜８のいずれか一項に記載の水リザーバ。
【請求項１０】
前記薄膜の前記第２の側部により、前記加熱板と直接係合するような構造および配置にされた接触面が得られる、請求項９に記載の水リザーバ。
【請求項１１】
前記薄膜の前記非金属製材料は、前記リザーバベースの材料に類似する、請求項１〜１０のいずれか一項に記載の水リザーバ。
【請求項１２】
前記薄膜の厚さは、前記リザーバベースの壁の壁厚さ未満である、請求項１〜１１のいずれか一項に記載の水リザーバ。
【請求項１３】
前記薄膜を前記加熱板へ押圧させるように適合された力を生成するように前記薄膜上に延びるような構造および配置にされた１つ以上のリブをさらに含む、請求項１〜１２のいずれか一項に記載の水リザーバ。
【請求項１４】
前記リザーバベースは、ベース上側ボディ、ベース下部プレートおよび前記薄膜を含み、前記ベース上側ボディ、前記ベース下部プレートおよび前記薄膜により前記キャビティが形成される、請求項１〜１３のいずれか一項に記載の水リザーバ。
【請求項１５】
リザーバ蓋をさらに含み、前記リザーバ蓋は、前記水リザーバを開口構成と閉鎖構成との間で変換させることが可能なように、前記リザーバベースへ移動可能に接続される、請求項１〜１４のいずれか一項に記載の水リザーバ。
【請求項１６】
呼吸可能なガスの流れを加湿する装置のための水リザーバであって、
液体の体積を保持するような構造にされたキャビティを含むリザーバベースと、
前記リザーバベースへ設けられた伝導性部位であって、前記伝導性部位は、加熱板から前記液体の体積への熱の熱伝導が可能となるように前記加熱板と熱係合するように適合される、伝導性部位と、
を含み、
前記伝導性部位は、非金属製材料を含む薄膜を含み、
前記薄膜は、前記リザーバベースと別個かつ区別可能な構造として設けられ、
前記薄膜は、前記リザーバベースの壁の壁厚さ未満の壁厚さを含む、水リザーバ。
【請求項１７】
前記薄膜は、前記リザーバベースへ固定されるかまたは他の方法で固定された事前形成された構造を含む、請求項１６に記載の水リザーバ。
【請求項１８】
呼吸可能なガスの流れを加湿する装置であって、
水リザーバドックと、
前記水リザーバドックへ設けられる、請求項１〜１７のいずれか一項に記載の水リザーバと、
を含む、装置。
【請求項１９】
前記水リザーバドックは、前記水リザーバを受容するキャビティを形成する、請求項１８に記載の装置。
【請求項２０】
前記水リザーバドックは、前記水リザーバへ設けられた前記伝導性部位と熱係合するように適合された前記加熱板を含む、請求項１８〜１９のいずれか一項に記載の装置。
【発明の詳細な説明】
【技術分野】
【０００１】
１  関連出願の相互参照
本出願は、２０１６年１１月２２日に出願されたオーストラリア国仮出願第２０１６９０４７６９号の恩恵を主張する。本明細書中、同文献それぞれの全体を参考のため援用する。
２  技術の背景
２.１  技術の分野
【０００２】
本技術は、呼吸関連疾患の検出、診断、治療、予防および改善のうち１つ以上に関する。本技術はまた、医療デバイスまたは装置と、その使用とに関する。
【背景技術】
【０００３】
２.２  関連技術の説明
２.２.１  ヒトの呼吸器系およびその疾患
身体の呼吸器系は、ガス交換を促進させる。鼻および口腔は、患者の気道への入口を形成する。
【０００４】
これらの気道は、一連の分岐する管を含み、これらの管は、肺の奥深くに進むほど狭く、短くかつ多数になる。肺の主要な機能はガス交換であり、空気から酸素を静脈血中へ取り入れさせ、二酸化炭素を退出させる。気管は、右および左の主気管支に分かれ、これらの主気管支はさらに分かれて、最終的に終末細気管支となる。気管支は、伝導のための気道を構成するものであり、ガス交換には関与しない。気道がさらに分割されると呼吸細気管支となり、最終的には肺胞となる。肺の肺胞領域においてガス交換が行われ、この領域を呼吸ゾーンと呼ぶ。以下を参照されたい：非特許文献１。
【０００５】
一定範囲の呼吸器疾患が存在している。特定の疾患は、特定の発症（例えば、無呼吸、呼吸低下および過呼吸）によって特徴付けられ得る。
【０００６】
呼吸器疾患の例には、閉塞性睡眠時無呼吸（ＯＳＡ）、チェーン・ストークス呼吸（ＣＳＲ）、呼吸不全、肥満過換気症候群（ＯＨＳ）、慢性閉塞性肺疾患（ＣＯＰＤ）、神経筋疾患（ＮＭＤ）および胸壁疾患が含まれる。
【０００７】
閉塞性睡眠時無呼吸（ＯＳＡ）は、睡眠呼吸障害（ＳＤＢ）の１つの形態であり、睡眠時の上通気道の閉鎖または閉塞などの発症によって特徴付けられる。これは異常に小さい上気道と、舌の領域の筋緊張の通常の喪失、睡眠時の軟口蓋および後口咽頭壁の正常損失の組み合わせの結果である。このような状態に起因して、罹患患者の呼吸停止が典型的には３０〜１２０秒にわたり、ときには一晩に２００〜３００回も呼吸が停止する。その結果、日中の眠気が過度になり、心血管疾患および脳損傷の原因になり得る。この症候は一般的な疾患であり、特に中年の過体重の男性に多いが、患者に自覚症状は無い。特許文献１（Ｓｕｌｌｉｖａｎ）を参照されたい。
【０００８】
チェーン・ストークス呼吸（ＣＳＲ）は、別の形態の睡眠呼吸障害である。ＣＳＲは、患者の呼吸調節器の疾患であり、ＣＳＲサイクルとして知られる換気の漸増および漸減が交互に周期的に続く。ＣＳＲは、動脈血の脱酸素および再曝気の繰り返しによって特徴付けられる。反復低酸素症のため、ＣＳＲは有害であり得る。患者によっては、ＣＣＲは、重症不眠、交感神経活動の増加、および後負荷の増加の原因となる、反復性睡眠覚醒を随伴する。特許文献２（Ｂｅｒｔｈｏｎ−Ｊｏｎｅｓ）を参照されたい。
【０００９】
呼吸不全とは、呼吸器障害の総称であり、患者の需要を満たすための充分な酸素吸気または充分なＣＯ２呼気を肺が行うことができていないことを指す。呼吸不全は、以下の疾患のうちいくつかまたは全てを包含し得る。
【００１０】
呼吸不全（一種の呼吸不全）の患者は、運動時に異常な息切れを経験することがある。
【００１１】
肥満低呼吸症候群（ＯＨＳ）は、低換気の他の既知の原因がない場合、重症の肥満と覚醒時慢性高炭酸ガス血症の組み合わせとして定義される。症状には、呼吸困難、起床時の頭痛と過剰な日中の眠気が含まれる。
【００１２】
慢性閉塞性肺疾患（ＣＯＰＤ）は、特定の共通する特性を有する下気道疾患のグループのうちのいずれも包含する。これには空気の動きに対する抵抗の増加、呼吸の呼気相の延長および肺における正常な弾性の減少が含まれる。ＣＯＰＤの例として、気腫および慢性気管支炎がある。ＣＯＰＤの原因としては、慢性喫煙（第一危険因子）、職業被ばく、空気汚染および遺伝因子がある。症状を挙げると、労作時の呼吸困難、慢性咳および痰生成がある。
【００１３】
神経筋疾患（ＮＭＤ）は、内在筋病理を直接介してまたは神経病理を間接的に介して筋肉機能を損なう多数の疾病および病気を包含する広範な用語である。ＮＭＤ患者の中には、進行性の筋肉障害によって特徴付けられる者もあり、結果的に歩行不可能、車椅子への束縛、嚥下困難、呼吸筋力低下に繋がり、最終的には呼吸不全による死亡に繋がる。神経筋肉障害は、以下の急速進行性と緩徐進行性とに区分され得る：（ｉ）急速進行性障害：数ヶ月かけて悪化する筋肉障害によって特徴付けられ、数年内に死亡に繋がる（例えば、ティーンエージャーにおける筋萎縮性側索硬化症（ＡＬＳ）およびデュシェンヌ筋ジストロフィー（ＤＭＤ））；（ｉｉ）可変性または緩徐進行性障害：数年かけて悪化する筋肉障害によって特徴付けられ、平均余命が若干低減するだけである（例えば、肢帯、顔面肩甲上腕型および筋強直性筋ジストロフィー）。ＮＭＤにおける呼吸不全症状を以下に挙げる：全身衰弱の増加、嚥下障害、労作および安静時の呼吸困難、疲労、眠気、起床時の頭痛、および集中および気分の変化の困難。
【００１４】
胸壁障害は、胸郭変形の１つのグループであり、呼吸筋肉と胸郭との間の連結の無効性の原因となる。これらの障害は、拘束性障害によって主に特徴付けられ、長期の炭酸過剰性呼吸不全の可能性を共有する。脊柱側弯症および／または脊柱後側弯症は、深刻な呼吸不全を引き起こし得る。呼吸不全の症状を以下に挙げる：労作時の呼吸困難、末梢浮腫、起座呼吸、反復性胸部感染症、起床時の頭痛、疲労、睡眠の質の低下、および食欲不振。
【００１５】
このような状態を治療または改善するために、一定範囲の治療が用いられている。さらに、その他の点では健常人も、呼吸器疾患の予防治療を有利に利用することができる。しかし、これらにおいては、複数の欠陥がある。
２.２.２  治療法
【００１６】
多様な療法（例えば、持続的気道陽圧（ＣＰＡＰ）治療法、非侵襲的換気（ＮＩＶ）および侵襲的換気（ＩＶ））が上記の呼吸器疾患の１つ以上の治療のために用いられている。
【００１７】
持続的気道陽圧（ＣＰＡＰ）療法が、閉塞性睡眠時無呼吸（ＯＳＡ）の治療において用いられている。その作用機構としては、例えば軟口蓋および舌を押して後口咽頭壁へ前進または後退させることにより、持続陽圧呼吸療法が空気スプリントとして機能し、これにより上気道の閉鎖を防止し得る。ＣＰＡＰ治療によるＯＳＡの治療は自発的なものであり得るため、このような患者が治療の提供に用いられるデバイスについて以下のうち１つ以上に気づいた場合、患者が治療を遵守しないことを選択する可能性がある：不快、使用困難、高価、美観的な魅力の無さ。
【００１８】
非侵襲的換気（ＮＩＶ）は、換気補助を上気道を通じて患者へ提供して、呼吸機能の一部または全体を行うことにより患者の呼吸の補助および／または身体中の適切な酸素レベルの維持を提供する。換気補助が、非侵襲的患者インターフェースを介して提供される。ＮＩＶは、ＯＨＳ、ＣＯＰＤ、ＮＭＤ、および胸壁障害などの形態のＣＳＲおよび呼吸不全の治療に用いられている。いくつかの形態において、これらの治療の快適性および有効性が向上し得る。
【００１９】
侵襲的換気（ＩＶ）は、自身で有効に呼吸することができなくなった患者に対して換気補助を提供し、気管切開管を用いて提供され得る。いくつかの形態において、これらの治療の快適性および有効性が向上し得る。
２.２.３  治療システム
【００２０】
これらの治療は、治療システムまたはデバイスによって提供され得る。このようなシステムおよびデバイスは、疾患を治療することなく診断するためにも、用いられ得る。
【００２１】
治療システムは、呼吸圧力治療デバイス（ＲＰＴデバイス）、空気回路、加湿器、患者インターフェース、およびデータ管理を含み得る。
【００２２】
別の形態の治療システムとして、下顎再位置決めデバイスがある。
２.２.３.１  患者インターフェース
【００２３】
患者インターフェースは、例えば気道入口への空気流れを提供することにより呼吸装具へのインターフェースを装着者へ提供するために、用いられ得る。空気流れは、鼻および／または口腔へのマスク、口腔への管、または患者気管への気管切開管を介して提供され得る。適用される療法に応じて、患者インターフェースは、例えば患者の顔の領域との密閉部を形成し得、これにより、療法実行のための雰囲気圧力と共に充分な分散の圧力において（例えば、例えば雰囲気圧力に対して約１０ｃｍＨ２Ｏの陽圧において）ガス送達を促進する。酸素送達などの他の治療形態において、患者インターフェースは、約１０ｃｍＨ２Ｏの陽圧において気道へのガス供給の送達を促進するのに充分な密閉を含まない場合がある。
【００２４】
特定の他のマスクシステムは、本分野において機能的に不適切であり得る。例えば、純然たる装飾目的のマスクの場合、適切な圧力を維持することができない場合がある。水中水泳またはダイビングに用いられるマスクシステムは、外部からのより高い圧力からの水侵入から保護することと、周囲よりも高い圧力において内部の空気を維持しないこととを行うように、構成され得る。
【００２５】
特定のマスクは、本技術において臨床的に好ましく無い場合があり得る（例えば、マスクが鼻を介して気流を遮断し、口を介した気流のみを通過させる場合）。
【００２６】
特定のマスクにおいて、患者がマスク構造の一部を口に挿入し、唇を介して密閉状態を生成および維持しなければならない場合、本技術において不快であるかまたは非実際的である場合がある。
【００２７】
特定のマスクは、睡眠時（例えば、横向きにベッドに寝て枕の上に頭を置いた状態で睡眠する場合）における使用においては非実際的である場合がある。
【００２８】
患者インターフェースの設計においては、複数の課題がある。顔は、複雑な三次元形状を有する。鼻および頭のサイズおよび形状は、個人によって大きく異なる。頭部には骨、軟骨および軟組織が含まれるため、顔の異なる領域は、機械的力に対して異なる反応を示す。すなわち、顎部または下顎は、頭蓋骨の他の骨に相対して動き得る。頭部全体は、呼吸治療期間を通じて動き得る。
【００２９】
これらの課題に起因して、いくつかのマスクの場合、特に装着時間が長い場合または患者がシステムに不慣れである場合、押しつけがましい、美観的に望ましくない、コストが高い、フィット感が悪い、使用が困難、および不快感があるなどの理由のうち１つ以上がある。誤ったサイズのマスクが用いられた場合、コンプライアンスの低下、快適性の低下および患者予後の低下に繋がり得る。飛行士専用のマスク、個人用保護装具（例えば、フィルターマスク）、ＳＣＵＢＡマスクの一部として設計されたマスク、または麻酔投与用マスクは、その元々の用途には耐えられるものの、このようなマスクの場合、長時間（例えば、数時間）にわたって装着するには望ましくないほど不快な場合がある。このような不快感に起因して、治療に対する患者の承諾が低下する可能性がある。これは、マスクを睡眠時に装着する必要がある場合、特に当てはまる。
【００３０】
ＣＰＡＰ治療は、患者が治療を承諾している場合、特定の呼吸疾患の治療においては極めて効果的である。マスクが不快である場合または使用が難しい場合、患者は、治療を承諾しない場合がある。患者はマスクを定期的に洗浄するよう推奨されることが多いため、マスクの清浄が難しい（例えば、組立または分解が困難である場合）、患者は、マスクを清浄することができず、患者の承諾に影響が出る場合がある。
【００３１】
他の用途（例えば、飛行士）用のマスクの場合、睡眠呼吸障害の治療の使用には不適である場合があるため、睡眠呼吸障害の治療の使用のために設計されたマスクは、他の用途に適している場合がある。
【００３２】
これらの理由のため、睡眠時のＣＰＡＰ送達のための患者インターフェースは、明瞭な分野を形成する。
２.２.３.１.１  シール形成構造
【００３３】
患者インターフェースはシール形成構造を含み得る。患者インターフェースは、患者の顔と直接接触するため、シール形成構造の形状および構成は、患者インターフェースの有効性および快適性に直接影響を持ち得る。
【００３４】
患者インターフェースは、使用時にシール形成構造を顔と係合させる場所の設計意図に従って、部分的に特徴付けられ得る。患者インターフェースの一形態において、シール形成構造は、左鼻孔の周囲にシールを形成するための第１のサブ部分と、右鼻孔の周囲にシールを形成するための第２のサブ部分とを含み得る。患者インターフェースの一形態において、シール形成構造は、使用時において双方の鼻孔を包囲する単一の要素を含み得る。このような単一の要素は、例えば顔の上唇領域および鼻ブリッジ領域上に載置されるように、設計され得る。患者インターフェースの一形態において、シール形成構造は、使用時に例えば顔の下唇領域上にシールを形成することにより口腔領域を包囲する要素を含み得る。患者インターフェースの一形態において、シール形成構造は、使用時に双方の鼻孔および口領域を包囲する単一の要素を含み得る。これらの異なる種類の患者インターフェースは、その製造業者によって鼻マスク、フルフェイスマスク、鼻枕、鼻パフおよび口鼻マスクなどの多様な名称によって公知であり得る。
【００３５】
患者の顔の一領域において有効であり得るシール形成構造は、例えば患者の顔の異なる形状、構造、変化性および感受性領域に起因して、別の領域において不適切であり得る。例えば、患者の前額上に載置される水泳用ゴーグルの密閉部は、患者の鼻上における使用には不適切である場合がある。
【００３６】
特定のシール形成構造は、広範囲の異なる顔形状およびサイズに対して１つの設計が適合し、快適でありかつ有効になるように、大量製造用に設計され得る。密閉部を形成するためには、患者の顔の形状と、大量製造された患者インターフェースのシール形成構造との間の不整合がある範囲まで、一方または双方を適合させる必要がある。
【００３７】
１つの種類のシール形成構造は、患者インターフェースの周囲を包囲して延び、シール形成構造が患者の顔に対向して係合している状態で力が患者インターフェースへ付加された際、患者の顔を密閉することを意図する。このシール形成構造は、空気または流体充填クッションを含み得るか、または、ゴムなどのエラストマーによって構成された弾力性のある密閉要素の成形されたかまたは形成された表面を含み得る。この種のシール形成構造により、フィット感が不適切である場合、シール形成構造と顔との間に隙間が発生し、密閉を達成するには、患者インターフェースを顔に押しつけるためにさらなる力が必要になる。
【００３８】
別の種類のシール形成構造は、陽圧がマスク内に付加された際に患者の顔に対して自己気密作用を提供するように、マスクの周囲の周辺に配置された薄材のフラップシールを使用する。先述の種類のシール形成部分と同様に、顔とマスクとの間の整合が良くない場合、密閉を達成するために必要なさらなる力が必要になり得るか、またはマスクから漏洩が発生し得る。さらに、シール形成構造の形状が患者の形状と整合しない場合、使用時においてシール形成部分に折り目または座屈が発生し、漏洩の原因になる。
【００３９】
別の種類のシール形成構造は、例えば鼻孔中へ挿入される摩擦嵌め要素を含み得るが、これらのシール形成部分を不快であると感じる患者も存在する。
【００４０】
別の形態のシール形成構造は、密閉を達成するために接着部を用い得る。患者の中には、常に接着部を自身の顔に貼り付けるかまたは取り外すことが不便であると感じる患者もいる。
【００４１】
一定範囲の患者インターフェースシール形成構造の技術について、（ＲｅｓＭｅｄ  Ｌｉｍｉｔｅｄへ譲渡された以下の特許出願：特許文献３；特許文献４；特許文献５）に開示がある。
【００４２】
鼻枕の一形態が、Ｐｕｒｉｔａｎ  Ｂｅｎｎｅｔｔによって製造されたＡｄａｍ回路において見受けられる。別の鼻枕または鼻パフが、Ｐｕｒｉｔａｎ−Ｂｅｎｎｅｔｔ  Ｃｏｒｐｏｒａｔｉｏｎへ譲渡された特許文献６（Ｔｒｉｍｂｌｅら）の主題になっている。
【００４３】
ＲｅｓＭｅｄ  Ｌｉｍｉｔｅｄは、鼻枕を用いた以下の製品を製造している：ＳＷＩＦＴ（登録商標）鼻枕マスク、ＳＷＩＦＴ（登録商標）ＩＩ鼻枕マスク、ＳＷＩＦＴ（登録商標）ＬＴ鼻枕マスク、ＳＷＩＦＴ（登録商標）ＦＸ鼻枕マスクおよびＭＩＲＡＧＥＬＩＢＥＲＴＹ（登録商標）フルフェイスマスク。ＲｅｓＭｅｄ  Ｌｉｍｉｔｅｄへ譲渡された以下の特許出願において、鼻枕マスクの実施例についての記載がある：特許文献７（特に、ＲｅｓＭｅｄ  ＬｉｍｉｔｅｄのＳＷＩＦＴ（登録商標）鼻枕の様相を記載）、特許文献８（特に、ＲｅｓＭｅｄ  ＬｉｍｉｔｅｄのＳＷＩＦＴ（登録商標）ＬＴ鼻枕の様相を記載）；特許文献９および特許文献１０（特に、ＲｅｓＭｅｄ  ＬｉｍｉｔｅｄのＭＩＲＡＧＥ  ＬＩＢＥＲＴＹ（登録商標）フルフェイス型マスクの様相を記載）；特許文献１１（特に、ＲｅｓＭｅｄ  ＬｉｍｉｔｅｄのＳＷＩＦＴ（登録商標）ＦＸ鼻枕の様相を記載）。
２.２.３.１.２  位置決めおよび安定化
【００４４】
陽圧空気治療に用いられる患者インターフェースのシール形成構造は、密閉を妨害する空気圧力の対応する力を受ける。そのため、シール形成構造を位置決めすることと、顔の適切な部分に対して密閉を維持することとを行うために、多様な技術が用いられている。
【００４５】
１つの技術において、接着部が用いられる。例えば、特許文献１２を参照されたい。しかし、接着部を用いた場合、不快感がある場合がある。
【００４６】
別の技術において、１つ以上のストラップおよび／または安定化ハーネスが用いられる。多数のこのようなハーネスの場合、フィット感が悪い、かさばる、不快および扱いにくいなどの点のうち１つ以上が当てはまる。
２.２.３.２  呼吸圧力治療（ＲＰＴ）デバイス
【００４７】
呼吸圧力治療（ＲＰＴ）デバイスは、例えば気道入口への空気送達流れを生成することにより、上記した複数の治療のうち１つ以上の送達に用いられ得る。この空気流れは、加圧され得る。ＲＰＴデバイスの例を挙げると、ＣＰＡＰデバイスおよび人工呼吸器がある。
【００４８】
空気圧生成器は、広範な用途（例えば、工業規模換気システム）において公知である。しかし、医療用途のための空気圧生成器は、より一般的な空気圧生成器（例えば、医療機器の信頼性要件、サイズ要件および重量要件）では満足できない特定の要件を有する。加えて、医療治療向けに設計されたデバイスであっても、以下のうち１つ以上に関連して欠陥を免れない場合がある：快適性、ノイズ、使いやすさ、有効性、サイズ、重量、製造可能性、コストおよび信頼性。
【００４９】
特定のＲＰＴデバイスの特殊な要件の一例として、音響ノイズがある。
【００５０】
従来のＲＰＴデバイスのノイズ出力レベルの表（試料１個のみをＩＳＯ３７４４に指定の試験方法を用いてＣＰＡＰモードにおいて１０ｃｍＨ２Ｏにて測定）。
【００５１】
【表１】
2019536545.tif 000003
【００５２】
睡眠呼吸障害の治療に用いられる１つの公知のＲＰＴデバイスとして、Ｓ９睡眠治療システム（製造元：ＲｅｓＭｅｄ  Ｌｉｍｉｔｅｄ）がある。ＲＰＴデバイスの別の実施例として、人工呼吸器がある。人工呼吸器（例えば、成人および小児用人工呼吸器のＲｅｓＭｅｄ  Ｓｔｅｌｌａｒ（登録商標）シリーズ）の場合、複数の状態（例を非限定的に挙げると、ＮＭＤ、ＯＨＳおよびＣＯＰＤ）の治療のための一定範囲のための患者のための侵襲的および非侵襲的な非依存的呼吸のための補助を提供し得る。
【００５３】
ＲｅｓＭｅｄ  Ｅｌｉｓｅｅ（登録商標）１５０人工呼吸器およびＲｅｓＭｅｄＶＳＩＩＩ（登録商標）人工呼吸器は、複数の状態の治療のための成人患者または小児用患者に適した侵襲的および非侵襲的な依存的呼吸の補助を提供し得る。これらの人工呼吸器により、単一または二重の肢回路を用いた容積通気モードおよび気圧通気モードが得られる。ＲＰＴデバイスは典型的には、圧力生成器（例えば、電動送風機または圧縮ガスリザーバ）を含み、患者の気道へ空気流れを供給するように構成される。場合によっては、空気流れは、患者の気道へ陽圧で供給され得る。ＲＰＴデバイスの出口は、空気回路を介して上記したような患者インターフェースへ接続される。
【００５４】
デバイスの設計者には、無数の選択肢が提示され得る。設計基準同士が対立することが多くあるため、特定の設計選択肢が慣例からほど遠くなるかあるいは避けられないことがある。さらに、特定の態様の快適性および有効性は、１つ以上のパラメータの些細な変更から大きく影響を受ける可能性もある。
２.２.３.３  加湿器
【００５５】
空気流れの送達を加湿無しで行った場合、気道の乾燥に繋がり得る。加湿器をＲＰＴデバイスおよび患者インターフェースと共に用いた場合、加湿ガスが生成されるため、鼻粘膜の乾燥が最小化され、患者気道の快適性が増加する。加えて、より冷涼な気候においては、概して患者インターフェースの周囲の顔領域へ温風を付加すると、冷風の場合よりも快適性が高まる。
【００５６】
一定範囲の人工的加湿機器およびシステムが公知であるが、医療加湿器の特殊な要件を満たせていない。
【００５７】
医療加湿器は、典型的には患者が（例えば病院において）睡眠時または安静時にあるときに、必要な場合に周囲空気に相対して空気流れの湿度および／または温度を増加させるように、用いられる。枕元に置かれる医療加湿器は、小型である場合がある。医療加湿器は、患者へ送達される空気流れの加湿および／または加熱のみを行うように構成され得、患者の周囲の加湿および／または加熱は行わない。例えば、部屋ベースのシステム（例えば、サウナ、エアコン、または蒸発冷却器）は、呼吸により患者体内に取り込まれる空気も加湿し得るものの、これらのシステムの場合、部屋全体も加湿および／または加熱するため、占有者にとって不快感であり得る。さらに、医療加湿器の場合、工業用加湿器よりも安全面での制約がより厳しい場合もある。
【００５８】
多数の医療加湿器が公知であるものの、このような医療加湿器の場合、１つ以上の欠陥を被り得る。すなわち、このような医療加湿器の場合、加湿が不適切なものもあれば、患者にとって使用が困難または不便であるものもある。
２.２.３.４  データ管理
【００５９】
臨床的理由により、呼吸治療が処方された患者が「コンプライアンスを遵守している」（例えば、患者が自身のＲＰＴデバイスを特定の「コンプライアンスルール」に則っているか）を決定するためのデータを入手する場合がある。ＣＰＡＰ治療についてのコンプライアンスルールの一例として、患者がコンプライアンスを遵守しているとみなすためには、患者が連続３０日間のうち少なくとも２１日間にわたってＲＰＴデバイスを一晩あたり少なくとも４時間にわたって使用する必要がある。患者のコンプライアンスを決定するためには、ＲＰＴデバイスのプロバイダ（例えば、ヘルスケアプロバイダ）は、ＲＰＴデバイスを用いた患者の治療を記述するデータを手作業で入手し、所定期間にわたる使用率を計算し、これをコンプライアンスルールと比較し得る。ヘルスケアプロバイダが患者が自身のＲＰＴデバイスをコンプライアンスルールに則って使用したと決定すると、当該ヘルスケアプロバイダは、患者がコンプライアンスを遵守している旨を第三者に通知し得る。
【００６０】
患者の治療において、治療データの第三者または外部システムへの通信から恩恵を受ける他の態様があり得る。
【００６１】
このようなデータを通信および管理するための既存のプロセスの場合、高コスト、時間がかかること、エラーの発生し易さのうち１つ以上が発生し得る。
２.２.３.５  下顎の再位置決め
【００６２】
下顎再位置決めデバイス（ＭＲＤ）または下顎前方固定デバイス（ＭＡＤ）は、睡眠時無呼吸およびいびきの治療選択肢の１つである。これは、歯科医または他の供給業者から利用可能である調節可能な口腔用器具であり、下顎部（下顎）を睡眠時に前方位置に保持する。ＭＲＤは、取り外し可能なデバイスであり、患者の睡眠前に口腔内に挿入され、睡眠後に取り外される。そのため、ＭＲＤは、常時装着用途を想定した設計はされていない。ＭＲＤは、カスタム仕様にしてもよいし、あるいは、標準形態で製造してもよく、患者の歯に適合するように設計された咬合印象部位を含む。この下顎からの機械的突出部は、舌の後ろ側の空間を拡張させ、咽頭壁上へ張力を付加して、気道崩壊を低減させ、口蓋振動を低減させる。
【００６３】
特定の実施例において、下顎前方固定デバイスは、上顎または上顎骨上の歯と係合するかまたは嵌め合うように意図された上側スプリントと、上顎または下顎上の歯と係合するかまたは嵌め合うように意図された下側スプリントとを含み得る。上側スプリントおよび下側スプリントは、一対の接続ロッドを介して相互に横方向に接続される。この１組の接続ロッドは、上側スプリントおよび下側スプリント上において対称に固定される。
【００６４】
このような設計において、接続ロッドの長さは、ＭＲＤが患者の口腔中に配置されたときに下顎が前方位置に保持されるように、選択される。接続ロッドの長さは、下顎の突出レベルを変化させるように、調節され得る。歯科医は、突出レベルを下顎に合わせて決定することができ、その結果、接続ロッドの長さが決定される。
【００６５】
下顎を上顎骨に対して前方に押し出すように構成されているＭＲＤもあれば、ＲｅｓＭｅｄ  Ｎａｒｖａｌ  ＣＣ（登録商標）ＭＲＤなどの他のＭＡＤのように、下顎を前方位置に保持するように設計されているものもある。このデバイスにより、歯科的副作用および側頭／下顎間の関節（ＴＭＪ）の副作用も低下または最小化される。そのため、このデバイスは、歯のうち１つ以上の任意の移動を最小化または回避するように構成される。
２.２.３.６  通気技術
【００６６】
いくつかの形態の治療システムは、吐き出された二酸化炭素を押し出すための通気部を含み得る。この通気部により、患者インターフェースの内部空間（例えば、プレナムチャンバ）から患者インターフェースの外部（例えば、周囲）へのガス流れが可能になり得る。
【００６７】
この通気部は、オリフィスを含み得、マスク使用時において、ガスがオリフィスを通じて流れ得る。多数のこのような通気部の場合、音がうるさい。他の場合、使用時において閉塞し得るため、押し出しが不十分になる。いくつかの通気部の場合、例えば音または気流集中に起因して、患者１０００と同床者１１００の睡眠を妨げる場合がある。
【００６８】
ＲｅｓＭｅｄ  Ｌｉｍｉｔｅｄは、複数の向上したマスク通気技術を開発している。下記を参照されたい：特許文献１３；特許文献１４；特許文献１５；特許文献１６；特許文献１７。
【００６９】
従来のマスクのノイズの表（ＩＳＯ１７５１０−２：２００７、１ｍにおける１０ｃｍＨ２Ｏ圧力）
【００７０】
【表２】
2019536545.tif 000004
【００７１】
【表３】
2019536545.tif 000005
【００７２】
（＊試料１個のみをＩＳＯ３７４４に指定の試験方法を用いてＣＰＡＰモードにおいて１０ｃｍＨ２Ｏにて測定）
【００７３】
多様な対象の音圧値を以下に羅列する
【００７４】
【表４】
2019536545.tif 000006
【００７５】
２.２.４  診断システムおよび監視システム
睡眠ポリグラフ（ＰＳＧ）は、心肺疾患の診断および監視のための従来のシステムであり、典型的には、システム適用のために専門家臨床スタッフを必要とすることが多い。ＰＳＧにおいては、多様な身体信号（例えば、脳波検査（ＥＥＧ）、心電図検査（ＥＣＧ）、電気眼球図記録（ＥＯＧ）、筋電図描画法（ＥＭＧ））を記録するために、典型的には１５〜２０個の接触覚センサーを人体上に配置する。睡眠時呼吸障害のＰＳＧのためには、患者を専門病院において二晩にわたって観察する必要があった。すなわち、第一夜は純然たる診断のためであり、第二夜は、臨床医による治療パラメータのタイトレーションのために必要であった。そのため、ＰＳＧは高コストであり、利便性も低い。ＰＳＧは、家庭における睡眠テストには特に不向きである。
臨床専門家は、患者の診断または監視をＰＳＧ信号の視覚的観察に基づいて適切に行い得る。しかし、臨床専門家が居ないまたは臨床専門家への支払いができない状況がある。患者の状態について臨床専門家によって意見が異なる場合がある。さらに、或る臨床専門家は、時期によって異なる基準を適用し得る。
【先行技術文献】
【特許文献】
【００７６】
【特許文献１】米国特許第４，９４４，３１０号
【特許文献２】米国特許第６，５３２，９５９号
【特許文献３】国際公開第１９９８／００４、３１０号
【特許文献４】国際公開第２００６／０７４、５１３号
【特許文献５】国際公開第２０１０／１３５、７８５号
【特許文献６】米国特許第４、７８２、８３２号
【特許文献７】国際公開第２００４／０７３、７７８号
【特許文献８】米国特許出願第２００９／００４４８０８号
【特許文献９】国際公開第２００５／０６３、３２８号
【特許文献１０】国際公開第２００６／１３０、９０３号
【特許文献１１】国際公開第２００９／０５２、５６０号
【特許文献１２】米国特許出願公開第２０１０／００００５３４号
【特許文献１３】国際公開第１９９８／０３４、６６５号
【特許文献１４】国際公開第２０００／０７８、３８１号
【特許文献１５】米国特許第６、５８１、５９４号
【特許文献１６】米国特許出願公開第２００９／００５０１５６号
【特許文献１７】米国特許出願公開第２００９／００４４８０８号
【非特許文献】
【００７７】
【非特許文献１】「Ｒｅｓｐｉｒａｔｏｒｙ  Ｐｈｙｓｉｏｌｏｇｙ」，  ｂｙ  Ｊｏｈｎ  Ｂ．  Ｗｅｓｔ，  Ｌｉｐｐｉｎｃｏｔｔ  Ｗｉｌｌｉａｍｓ  ＆  Ｗｉｌｋｉｎｓ，  ９ｔｈ  ｅｄｉｔｉｏｎ  ｐｕｂｌｉｓｈｅｄ  ２０１２
【発明の概要】
【課題を解決するための手段】
【００７８】
３  技術の簡単な説明
本技術は、呼吸器疾患の診断、改善、治療または予防において用いられる医療機器の提供に関連し、これらの医療機器は、向上した快適性、コスト、有効性、使い易さおよび製造可能性のうち１つ以上を有する。
【００７９】
本技術の第１の態様は、呼吸器疾患の診断、改善、治療または予防に用いられる装置に関連する。
【００８０】
本技術の別の態様は、呼吸障害の診断、改善、治療または予防において用いられる方法に関連する。
【００８１】
本技術の特定の形態の一態様は、呼吸治療についての患者のコンプライアンスを向上させる方法および／または装置を提供することである。
【００８２】
本技術の一態様は、加熱板と熱係合するように適合された非金属製の薄膜ベースを含む水リザーバを含む加湿器に関する。水リザーバの薄膜ベースは、水リザーバの熱伝達特性および信頼性の保持または向上をもたらしつつ水リザーバの生産コストを低減させる配置構成を提供するような構造にされる。一実施例において、薄膜ベースは、良好な熱接触および良好な加湿器性能の提供および例えば加湿器要求および性能に応じた適切な材料選択が可能になるように、充分に肉薄かつ平坦であり得る。
【００８３】
本技術の一態様は、呼吸可能なガスの流れを加湿する装置のための水リザーバに関する。水リザーバは、液体の体積（volume）を保持するような構造にされたキャビティおよびベースへ設けられた伝導性部位を含むリザーバベースを含む。伝導性部位は、加熱板から液体の体積（volume）への熱の熱伝導が可能となるように、加熱板と熱係合するように適合される。伝導性部位は、非金属製材料を含む薄膜を含み、薄膜は、約１ｍｍ未満の壁厚さを含む。
【００８４】
一実施例において、薄膜の厚さは、約０．５ｍｍ未満であり得る。一実施例において、薄膜は、シリコーン、ポリカーボネートまたは他の熱可塑性材料またはエラストマー材料を含み得る。一実施例において、薄膜は、リザーバベースと別個かつ区別可能な構造として設けられ得る。一実施例において、薄膜は、リザーバベースへ固定されるかまたは他の方法で固定された事前形成された構造を含む。一実施例において、リザーバベースは、薄膜を受容するような構造にされた穴を含み得る。一実施例において、薄膜は、穴の形状に対応する形状を含み得る。一実施例において、薄膜は、概して平面状であり得る。一実施例において、薄膜は、液体の体積へ露出された水リザーバの底内面を形成するように適合された第１の側部と、第１の側部に対向する第２の側部であって、加熱板へ露出された水リザーバの底外面を形成するように適合された第２の側部とを含み得る。一実施例において、薄膜の第２の側部は、加熱板と直接係合するような構造および配置にされた接触面を提供し得る。一実施例において、薄膜の非金属製材料は、リザーバベースの材料に類似し得る。一実施例において、薄膜の厚さは、リザーバベースの壁の壁厚さ未満であり得る。一実施例において、水リザーバは、１つ以上のリブをさらに含み得る。これら１つ以上のリブは、薄膜を加熱板へ押圧するように適合された力を生成するように薄膜上に延びるような構造および配置にされる。一実施例において、リザーバベースは、ベース上側ボディ、ベース下部プレートおよび薄膜を含み得る。ベース上側ボディ、ベース下部プレートおよび薄膜により、キャビティが形成される。一実施例において、水リザーバは、リザーバ蓋をさらに含み得る。リザーバ蓋は、水リザーバが開口構成と閉鎖構成との間で変換可能となるように、リザーバベースへ移動可能に接続される。
【００８５】
本技術の別の態様は、呼吸可能なガスの流れを加湿する装置のための水リザーバに関する。水リザーバは、液体の体積を保持するような構造にされたキャビティおよびベースへ設けられた伝導性部位を含むリザーバベースを含む。伝導性部位は、加熱板から液体の体積への熱の熱伝導が可能となるように、加熱板と熱係合するように適合される。伝導性部位は、非金属製材料を含む薄膜を含む。薄膜は、リザーバベースと別個かつ区別可能な構造として提供され、薄膜は、リザーバベースの壁の壁厚さ未満の壁厚さを含む。一実施例において、薄膜は、リザーバベースへ固定されるかまたは他の方法で固定された事前形成された構造を含み得る。
【００８６】
本技術の一形態の一態様は、装置の製造方法である。
【００８７】
本技術の特定の形態の一態様は、例えば医療トレーニングを受けたことの無い人、あまり器用ではない人や洞察力の欠いた人、またはこの種の医療デバイスの使用経験が限られた人にとって使い易い医療デバイスである。
【００８８】
本技術の一形態の一態様は、患者の家庭において例えば石けん水などによって洗浄することが可能な患者インターフェースであり、特殊な清浄器具は不要である。本技術の一形態の一態様は、患者の家庭において例えば石けん水などによって洗浄することが可能な加湿器タンクであり、特殊な清浄器具は不要である。
【００８９】
本明細書中に記載される方法、システム、デバイスおよび装置により、プロセッサにおける機能（例えば、特定目的用コンピュータのプロセッサ、呼吸モニターおよび／または呼吸治療装置の機能）の向上が可能になり得る。さらに、記載の方法、システム、デバイスおよび装置により、呼吸状態（例えば、睡眠障害呼吸）の自動管理、監視および／または治療の技術分野における向上が可能になる。
【００９０】
もちろん、上記態様の一部は、本技術の下位態様を形成し得る。また、下位態様および／または態様のうち多様な１つを多様に組み合わせることができ、本技術のさらなる態様または下位態様も構成し得る。
【００９１】
本技術の他の特徴は、以下の詳細な説明、要約、図面および特許請求の範囲中に含まれる情報に鑑みれば明らかになる。
【図面の簡単な説明】
【００９２】
４  図面の簡単な説明
本技術を、添付図面中に非限定的に一実施例として例示する。図面中、類似の参照符号は、以下の類似の要素を含む：
４.１  治療システム
【図１Ａ】図１Ａは、患者インターフェース３０００を装着している患者１０００を含むシステムを示す。このシステムは、鼻枕の形態をとり、ＲＰＴデバイス４０００から供給される陽圧の空気を受容する。ＲＰＴデバイス４０００からの空気は、加湿器５０００によって加湿され、空気回路４１７０に沿って患者１０００へと移動する。同床者１１００も図示される。患者は、仰臥位睡眠位置において睡眠している。
【図１Ｂ】図１Ｂは、患者インターフェース３０００を装着している患者１０００を含むシステムを示す。このシステムは、鼻マスクの形態をとり、ＲＰＴデバイス４０００から供給される陽圧の空気を受容する。ＲＰＴデバイスからの空気は、加湿器５０００によって加湿され、空気回路４１７０に沿って患者１０００へと移動する。
【図１Ｃ】図１Ｃは、患者インターフェース３０００を装着している患者１０００を含むシステムを含む。患者インターフェース３０００は、フルフェイスマスクをとり、陽圧の空気供給をＲＰＴデバイス４０００から受容する。ＲＰＴデバイスからの空気は、加湿器５０００によって加湿され、空気回路４１７０に沿って患者１０００へと移動する。患者は、側臥位睡眠位置において睡眠している。４.２  呼吸システムおよび顔の解剖学的構造
【図２Ａ】図２Ａは、鼻腔および口腔、喉頭、声帯ひだ、食道、気管、気管支、肺、肺胞嚢、心臓および横隔膜を含むヒト呼吸器系の概要を示す。
【図２Ｂ】図２Ｂは、鼻腔、鼻骨、外側鼻軟骨、大鼻翼軟骨、鼻孔、上唇、下唇、喉頭、硬口蓋、軟口蓋、中咽頭、舌、喉頭蓋、声帯ひだ、食道および気管を含むヒトの上気道の図である。４.３  患者インターフェース
【図３Ａ】図３Ａは、本技術の一形態による鼻マスクの形態の患者インターフェースを示す。
【図３Ｂ】図３Ｂは、構造を１つの点において切断した模式的断面図である。この点における外向き法線が図示される。この点における曲率は、正の符号と、３Ｃに示す曲率の大きさと比較して比較的大きな大きさとを有する。
【図３Ｃ】図３Ｃは、構造を１つの点において切断した模式的断面図である。この点における外向き法線が図示される。この点における曲率は、正の符号と、図３Ｂに示す曲率の大きさと比較して比較的小さな大きさとを有する。
【図３Ｄ】図３Ｄは、構造を１つの点において切断した模式的断面図である。この点における外向き法線が図示される。この点における曲率の値はゼロである。
【図３Ｅ】図３Ｅは、構造を１つの点において切断した模式的断面図である。この点における外向き法線が図示される。この点における曲率は、負の符号と、図３Ｆに示す曲率の大きさと比較して比較的小さな大きさとを有する。
【図３Ｆ】図３Ｆは、構造を１つの点において切断した模式的断面図である。この点における外向き法線が図示される。この点における曲率は、負の符号と、図３Ｅに示す曲率の大きさと比較して比較的大きな大きさとを有する。
【図３Ｇ】図３Ｇは、２つの枕を含むマスク用クッションを示す。クッションの外面が図示される。表面の縁部が図示される。ドーム領域およびサドル領域が図示される。
【図３Ｈ】図３Ｈは、マスク用クッションを示す。クッションの外面が図示される。表面の縁部が図示される。点Ａと点Ｂとの間の表面上の経路が図示される。ＡとＢとの間の直線距離が図示される。２つのサドル領域およびドーム領域が図示される。
【図３Ｉ】図３Ｉは、構造の表面を示し、この表面中には一次元穴が開いている。図示の平面曲線は、一次元穴の境界を形成する。
【図３Ｊ】図３Ｊは、図３Ｉの構造を通じた断面図である。図示の表面は、図３Ｉの構造中の二次元穴を境界付ける。
【図３Ｋ】図３Ｋは、二次元穴および一次元穴を含む図３Ｉの構造の斜視図である。また、図３Ｉの構造中の二次元穴を境界付ける表面が図示される。
【図３Ｌ】図３Ｌは、クッションとしての可膨張性ブラダーを有するマスクを示す。
【図３Ｍ】図３Ｍは、図３Ｌのマスクの断面図であり、ブラダーの内面を示す。内面により、マスク中の二次元穴が境界付けられる。
【図３Ｎ】図３Ｎは、図３Ｌのマスクを通じたさらなる断面を示す。内面も図示される。
【図３Ｏ】図３Ｏは、左手の法則を示す。
【図３Ｐ】図３Ｐは、右手の法則を示す。
【図３Ｑ】図３Ｑは、左耳螺旋を含む左耳を示す。
【図３Ｒ】図３Ｒは、右耳螺旋を含む右耳を示す。
【図３Ｓ】図３Ｓは、右手螺旋を示す。
【図３Ｔ】図３Ｔは、マスクの異なる領域内の密閉膜の縁部によって規定された空間曲線のねじれのサインを含むマスクの図である。４.４  ＲＰＴデバイス
【図４Ａ】図４Ａは、本技術の一形態に従ったＲＰＴデバイス４０００を示す。４.５  加湿器
【図５】図５は、本技術の一実施例によるＲＰＴデバイスおよび一体化加湿器の斜視図であり、加湿器と本技術の一実施例による空気回路との係合を例示する。
【図６】図６は、加湿器リザーバと本技術の一実施例によるリザーバドックとの係合を例示する図５のＲＰＴデバイスおよび一体化加湿器の斜視図である。
【図７】図７は、図５のＲＰＴデバイスおよび一体化加湿器の別の斜視図である。
【図８】図８は、加湿器リザーバと本技術の一実施例によるリザーバドックとの係合を例示する図５のＲＰＴデバイスおよび一体化加湿器の別の斜視図である。
【図９】図９は、本技術の一実施例による加湿器リザーバの様々な様子を示し、図９は閉じた形の加湿器リザーバを示す。
【図１０】図１０は、本技術の一実施例による加湿器リザーバの様々な様子を示し、図１０は閉じた形の加湿器リザーバを示す。
【図１１】図１１は、本技術の一実施例による加湿器リザーバの様々な様子を示し、図１１は閉じた形の加湿器リザーバを示す。
【図１２】図１２は、本技術の一実施例による加湿器リザーバの様々な様子を示し、図１２は開いた形の加湿器リザーバを示す。
【図１３】図１３は、本技術の一実施例による加湿器リザーバのリザーバベースの上面斜視図である。
【図１４】図１４は、図１３のリザーバベースの底面斜視図である。
【図１５】図１５は、図１３のリザーバベースの分解図である。
【図１６】図１６は、本技術の一実施例による図１３のリザーバベースを含む加湿器リザーバの断面図である。
【図１７】図１７は、本技術の一実施例による図１３のリザーバベースのベース底部プレートおよび伝導性部位の断面図である。
【図１８】図１８は、本技術の別の実施例による加湿器リザーバのリザーバベースの上面斜視図である。
【図１９】図１９は、図１８のリザーバベースの底面斜視図である。
【図２０】図２０は、本技術の一実施例による図１８のリザーバベースのベース底部プレートおよび伝導性部位の断面図である。
【図２１】図２１は、本技術の一形態による加湿器の模式図である。
【発明を実施するための形態】
【００９３】
５  本技術の実施例の詳細な説明
本技術についてさらに詳細に説明する前に、本技術は、本明細書中に記載される異なり得る特定の実施例に限定されるのではないことが理解されるべきである。本開示中に用いられる用語は、本明細書中に記載される特定の実施例を説明する目的のためのものであり、限定的なものではないことも理解されるべきである。
【００９４】
以下の記載は、１つ以上の共通の特性および／または特徴を共有し得る多様な実施例に関連して提供される。任意の１つの実施例の１つ以上の特徴は、別の実施例または他の実施例の１つ以上の特徴と組み合わせることが可能であることが理解されるべきである。加えて、これらの実施例のうちのいずれかにおける任意の単一の特徴または特徴の組み合わせは、さらなる実施例を構成し得る。
５.１  治療
【００９５】
一形態において、本技術は、呼吸器疾患の治療方法を含む。本方法は、患者１０００の気道の入口へ陽圧を付加するステップを含む。
【００９６】
本技術の特定の実施例において、陽圧における空気供給が鼻孔の片方または双方を介して患者の鼻通路へ提供される。
【００９７】
本技術の特定の実施例において、口呼吸が制限されるか、限定されるかまたは妨げられる。
５.２  治療システム
【００９８】
一形態において、本技術は、呼吸障害の治療のための装置またはデバイスを含む。装置またはデバイスは、加圧空気を患者インターフェース３０００への空気回路４１７０を介して患者１０００へ供給するＲＰＴデバイス４０００を含み得る（例えば、図１Ａ〜１Ｃを参照されたい）。
５.３  患者インターフェース
【００９９】
図３Ａに示したように、本技術の一様態による非侵襲的患者インターフェース３０００は、以下の機能態様を含む：シール形成構造３１００、プレナムチャンバ３２００、位置決めおよび安定化構造３３００、通気孔３４００、空気回路４１７０への接続のための一形態の接続ポート３６００、および前額支持部３７００。いくつかの形態において、機能様態が、１つ以上の物理的コンポーネントによって提供され得る。いくつかの形態において、１つの物理的コンポーネントは、１つ以上の機能様態を提供し得る。使用時において、シール形成構造３１００は、気道への陽圧での空気供給を促進するように、患者の気道の入口を包囲するように配置される。
【０１００】
患者インターフェースが最低レベルの陽圧を快適に気道へ送達できない場合、患者インターフェースは呼吸圧力治療に不適切であり得る。
【０１０１】
本技術の一形態による患者インターフェース３０００は、周囲に対して少なくとも６ｃｍＨ２Ｏの陽圧で空気供給を提供できるように構築および配置される。
【０１０２】
本技術の一形態による患者インターフェース３０００は、周囲に対して少なくとも１０ｃｍＨ２Ｏの陽圧で空気供給を提供できるように構築および配置される。
【０１０３】
本技術の一形態による患者インターフェース３０００は、周囲に対して少なくとも２０ｃｍＨ２Ｏの陽圧で空気供給を提供できるように構築および配置される。
５.４  ＲＰＴデバイス
【０１０４】
本技術の一態様によるＲＰＴデバイス４０００は、機械、空気圧式、および／または電気部品を含み、１つ以上のアルゴリズム（図４Ａを参照）を実行するように構成される。ＲＰＴデバイス４０００は、例えば本文書中のいずれかに記載の呼吸状態のうち１つ以上の治療のために患者の気道へ送達される空気流れを生成するように構成され得る。
【０１０５】
一形態において、ＲＰＴデバイス４０００は、少なくとも６ｃｍＨ２Ｏまたは少なくとも１０ｃｍＨ２Ｏまたは少なくとも２０ｃｍＨ２Ｏの陽圧を維持しつつ、空気流れを−２０Ｌ／分〜＋１５０Ｌ／分の範囲で送達できるように構築および配置される。
【０１０６】
電源は、ＲＰＴデバイス４０００の外部ハウジングの内部または外部に配置され得る。
【０１０７】
本技術の一形態において、電源は、ＲＰＴデバイスにのみ電力を供給する。本技術の別の形態において、電源から、電力がＲＰＴデバイス４０００および加湿器５０００双方へ提供される。
【０１０８】
本技術の一形態において、ＲＰＴデバイス４０００は、ＲＰＴデバイス４０００の制御に適した１つまたは複数のプロセッサを含む中央コントローラを含む。
【０１０９】
適切なプロセッサは、ＡＲＭ  ＨｏｌｄｉｎｇｓからのＡＲＭ（登録商標）Ｃｏｒｔｅｘ（登録商標）−Ｍプロセッサに基づいたプロセッサであるｘ８６ＩＮＴＥＬプロセッサを含み得る（例えば、ＳＴ  マクロ電子からのＳ（登録商標）３２シリーズのマイクロコントローラ）。本技術の特定の代替形態において、３２ビットＲＩＳＣ  ＣＰＵ（例えば、ＳＴ  ＭＩＣＲＯ電子ＳからのＳＴＲ９シリーズマクロコントローラ）または１６ビットＲＩＳＣ  ＣＰＵ（例えば、ＴＥＸＡＳ  ＩＮＳＴＲＵＭＥＮＴＳによって製造されたマクロコントローラのＭＳＰ４３０ファミリーからのプロセッサ）も適切であり得る。
【０１１０】
本技術の一形態において、中央コントローラは、専用電子回路である。
【０１１１】
一形態において、中央コントローラは、特定用途向け集積回路である。別の形態において、中央コントローラは、個別電子コンポーネントを含む。
【０１１２】
中央コントローラは、１つ以上の変換器、１つ以上の入力デバイスおよび加湿器５０００から入力信号（単数または複数）を受信するように、構成され得る。
【０１１３】
中央コントローラは、出力信号（単数または複数）を出力デバイス、治療装置コントローラ、データ通信インターフェースおよび加湿器５０００のうち１つ以上へ提供するように、構成され得る。
【０１１４】
本技術のいくつかの形態において、中央コントローラは、本明細書中に記載の１つ以上の方法を具現するように、構成される（例えば、非一時的なコンピュータで読出可能な記録媒体のような（例えば、メモリ）中に記録されたコンピュータプログラムとして表現された１つ以上のアルゴリズム）。本技術のいくつかの形態において、中央コントローラは、ＲＰＴデバイス４０００と一体化され得る。しかし、本技術のいくつかの形態において、いくつかの方法が、遠隔配置されたデバイスによって行われ得る。例えば、遠隔配置されたデバイスは、記録されたデータ（例えば、本明細書中に記載のセンサーのうちいずれかからのもの）の分析により、人工呼吸器の制御設定を決定し得るか、または、呼吸関連イベントを検出し得る。
５.５  空気回路
【０１１５】
本技術の一態様による空気回路４１７０は、使用時において空気流れが２つのコンポーネント（例えば、ＲＰＴデバイス４０００および患者インターフェース３０００）間に移動するように、構築および配置された導管またはチューブである。
【０１１６】
詳細には、空気回路４１７０は、空気圧式ブロックの出口および患者インターフェースと流体接続し得る。空気回路は、空気送達チューブと呼ばれ得る。いくつかの場合において、吸息および呼気のための回路の別個の肢があり得る。他の場合において、単一の肢が用いられる。
【０１１７】
いくつかの形態において、空気回路４１７０は、（例えば空気温度の維持または上昇のために）空気回路中の空気を加熱するように構成された１つ以上の加熱要素を含み得る。加熱要素は、加熱ワイヤ回路の形態をとり得、１つ以上の変換器（例えば、温度センサー）を含み得る。一形態において、加熱ワイヤ回路は、空気回路４１７０の軸周囲にらせん状に巻かれ得る。加熱要素は、コントローラ（例えば、中央コントローラ）と連通し得る。加熱ワイヤ回路を含む空気回路４１７０の一実施例について、米国特許出願第８，７３３，３４９号に記載がある。本明細書中、同文献全体を参考のため援用する。
５.６  加湿器
５.６.１  加湿器の概要
【０１１８】
本技術の一形態において、患者へ送達されるべき空気またはガスの絶対湿度を周囲空気に相対して変化させるための加湿器が提供される。典型的には、加湿器は、患者気道へ送達される前に空気流れの（周囲空気に相対する）絶対湿度を増加させかつ温度を増加させるために、用いられる。
【０１１９】
図５〜図８は、本技術の一実施例によるＲＰＴデバイス４０００および一体化加湿器５０００を示す。図示の例において、加湿器５０００は、水リザーバ５１１０を受容するような構造にされた水リザーバドック５１３０を含む。図示のように、水リザーバドック５１３０は、内部に水リザーバ５１１０を受容するように形成されたキャビティ５１６０を含む。例えば、水リザーバ５１１０は、横方向において水リザーバドック５１１０から挿入可能／取り外し可能であり得る。
【０１２０】
図示の例において、ＲＰＴデバイス４０００は、加湿器５０００と一体化される。この配置構成として、水リザーバドック５１３０は、水リザーバ５１１０を空気圧経路へ接続させるような構造にされる。図５および図８に最良に示すように、リザーバドック５１３０は、空気流れを水リザーバ５１１０へ送達させるためのドック空気出口５１６８と、水リザーバ５１１０において加湿された空気流れを受容するドック空気入口５１７０と、加湿された空気の流れを空気回路４１７０へ移動させるための加湿器出口５１７２とを含む。キャビティ５１６０は、水リザーバ５１１０の蓋のうち少なくとも一部を被覆するように構成された上部と、加熱板５１２０を含む下部とを含み得る。
【０１２１】
しかし、別の配置構成において、リザーバドック５１３０を別個にＲＰＴデバイス４０００へ設けてもよいことが理解されるべきである。このような配置構成において、リザーバドック５１３０をＲＰＴデバイス４０００へ接続させるために（例えば、直接的結合または空気回路を介した結合のために）さらなるインターフェースが用いられ得る。
【０１２２】
別の配置構成において、水リザーバドック５１３０は、実質的に水平な面中に開口部を含み得るため、水リザーバ５１１０を水リザーバドック５１３０の上部または下部から挿入することができる。
【０１２３】
かかるＲＰＴデバイス４０００および一体化加湿器５０００のさらなる実施例および詳細について、国際公開第２０１４／１３８８０４号（出願日：２０１４年９月１８日）に記載がある。本明細書中、同文献全体を参考のため援用する。
５.６.２  加湿器コンポーネント
５.６.２.１  水リザーバ
【０１２４】
図９〜図１２は、水リザーバまたはタブ５１１０の一形態を示す。水リザーバまたはタブ５１１０は、リザーバベース５１１２と、リザーバ蓋５１１４と、コンプライアント部５１１６を含む中間部とを含む。水リザーバ５１１０は、空気流れの加湿のために蒸発させるべき一定量の液体（例えば、水）を収容または保持するように構成されたキャビティ（例えば、ベースより提供される）を含み得る。水リザーバ５１１０は、少なくとも呼吸治療セッション期間（例えば、一晩の睡眠）にわたって適切な加湿を提供するための所定の最大量の水を収容するように、構成され得る。典型的には、リザーバ５１１０は、数百ミリリットルの水（例えば、３００ミリリットル（ｍｌ）、３２５ｍｌ、３５０ｍｌまたは４００ｍｌ）を収容するように、構成される。他の形態において、加湿器５０００は、外部水源（例えば、建物の水供給システム）から水供給を受容するように、構成され得る。
【０１２５】
一態様によれば、水リザーバ５１１０は、空気流れがＲＰＴデバイス４０００を通過する際にＲＰＴデバイス４０００からの空気流れを加湿するように、構成される。一形態において、水リザーバ５１１０は、空気流れがリザーバ５１１０中の一定量の水と接触しつつ、空気流れのリザーバ５１１０中の蛇行経路の移動を促進するように、構成され得る。
【０１２６】
リザーバ５１１０は、例えばリザーバ５１１０がその通常の動作方向（例えば、任意のアパチャを通じておよび／またはそのサブコンポーネント間に）から変位および／または回転した時にリザーバ５１１０からの液体放出を抑制するようにも構成され得る。加湿器５０００によって加湿すべき空気流れは加圧されていることが多いため、リザーバ５１１０は、漏洩および／または流れインピーダンスを通じた空気圧の損失を防止するようにも、構成され得る。
【０１２７】
図示の例において、リザーバ蓋５１１４は、リザーバ５１１０中への空気流れを受容する入口５１１８と、リザーバ５１１０からの空気流れの送達のための出口５１２２とを含む。リザーバ蓋５１１４は、リザーバ５１１０を図９〜図１１に示すような閉鎖構成と図１２に示すような開口構成との間で転換することができるように、旋回可能にヒンジ５１５８によってベース５１１２へ接続される。水リザーバ５１１０がその閉鎖構成である場合、コンプライアント部５１１６は、ベース５１１２と蓋５１１４との間において密閉係合されるため、ベース５１１２および蓋５１１４が密閉され、リザーバ５１１０からの水漏れが防止される。コンプライアント部５１１６は、他の機能（例えば、リザーバ５１１０と加熱板５１２０との間の熱接触向上）も行い得る。
【０１２８】
リザーバベース５１１２は、リザーバ５１１０が保持できるように構成された、所与の最大の液体の体積を保持する容器として構成され得る。一形態において、ベース５１１２は、例えば過剰充填防止フィーチャなどのさらなるフィーチャを含み得る。（例えば、図１３に示すように過剰充填を示す、水リザーバ５１１０中の少なくとも１つのオリフィス５１３８）
【０１２９】
一形態において、リザーバベース５１１２は、例えば図１３に示すような内側リップ５２２４および／または外側リップ５２２６をさらに含み得る。一態様によれば、内側リップ５２２４および／または外側リップ５２２６は、（例えば中間部が圧縮されたときまたは中間部が振動下に有る場合に）中間部（例えば、コンプライアント部５１１６）とベース５１１２との間のインターフェースを通じて液体がリザーバ５１１０から漏れる事態を防止し得る。
【０１３０】
一形態において、リザーバベース５１１２は、ベース上側ボディ５１４６、ベース下部プレート５１４８および伝導性部位５１５２を含む。ベース上側ボディ５１４６は、ベース下部プレート５１４８および伝導性部位５１５２により、容器が形成される（例えば図１５を参照）。しかし、リザーバベース５１１２は、任意の部品によって構築され得ることが理解されるべきである。
【０１３１】
一実施例において、ベース上ボディ５１４６、ベース下プレート５１４８および／または蓋５１１４は、液体の体積の保持に適した生体適合性材料（例えば、プラスチックまたは熱可塑性ポリマー（例えば、アクリロニトリルブタジエンスチレン（ＡＢＳ）またはポリカーボネート材料））から構築され得る。
【０１３２】
一実施例において、密閉要素を例えばベース上ボディ５１４６とベース下プレート５１４８との間に設けることにより、水リザーバ５１１０から（特にベース５１１２から）の水漏れを防止することができる。
【０１３３】
水リザーバのさらなる実施例および詳細について、国際公開第２０１４／１３８８０４号（出願日：２０１４年９月１８日）に記載がある。本明細書中、同文献全体を参考のため援用する。
５.６.２.２  伝導性部位
【０１３４】
本技術の一実施例によれば、リザーバ５１１０は、加熱板５１２０からリザーバ５１１０中の一定量の液体への効率的な熱伝達を可能にするように構成された伝導性部位５１５２を含む。伝導性部位５１５２は、加熱板から液体の体積への熱の熱伝導を可能にするように加熱板５１５２と熱係合または接触するような構造および配置された熱伝導性材料を含む。
【０１３５】
図１３〜図２０の図示の例において、伝導性部位５１５２は、加湿器５０００の加熱板５１２０と熱結合するように構成された熱伝導性の非金属製材料を含む薄膜（膜ベースまたはベース導体膜とも呼ばれる）を含む。
【０１３６】
一実施例において、薄膜５１５２の熱伝導性の非金属製材料は、シリコーン、ポリカーボネートまたは他の熱可塑性材料またはエラストマー材料を含み得る。
【０１３７】
一実施例において、薄膜５１５２の厚さは、約０．０５ｍｍ〜１．５ｍｍ（例えば、０．１０ｍｍ〜０．１２５ｍｍ）であり得る。一実施例において、薄膜の厚さは、約１ｍｍ未満（例えば、約０．５ｍｍ未満）であり得る。一形態において膜は、厚さが約０．４ｍｍであるシリコーン（ＬＳＲ）膜を含み得る。
【０１３８】
図示の例において、ベース下プレート５１４８は、ベース下プレートの周囲に延びる側壁５１４９．１と、側壁５１４９．１に接合する下壁５１４９．２とを含む（例えば、図１７を参照）。薄膜５１５２は、液体保持のための容器を形成するように設けられるか、または他の様態で下壁５１４９．２中へ設けられる。図示の例において、下壁５１４９．２は、薄膜５１５２を受容するような構造にされた穴５１４９．３を含む（例えば、図１５を参照）。薄膜５１５２は、容器のベースのうち少なくとも一部を形成しかつ水リザーバ５１１０からの水漏れを防止するように、動作位置において穴５１４９．３内にかつ／または穴５１４９．３にわたって密閉固定される。
【０１３９】
例えば、薄膜５１５２は、穴５１４９．３の縁を形成する内面が薄膜５１５２の周囲における縁に固定されるように、穴５１４９．３の形状に対応する形状を含み得る。あるいは、薄膜５１５２は、穴５１４９．３の形状と異なる形状を含み得、その場合、薄膜５１５２の周囲における縁は、穴５１４９．３の縁を超えて延びる（例えば、薄膜５１５２がベース下プレート５１４８の下壁５１４９．２と重複する）。図示の例において、薄膜５１５２は、加熱板５１２０の形状（例えば、矩形）に概して対応する形状を含むが、他の適切な形状も可能である（例えば、正方形、円形、楕円）。
【０１４０】
図示のように、薄膜５１５２は、水へ露出されたリザーバ５１１０の底内面を形成するように適合された第１の側部５１５２．１を含む。薄膜５１５２は、第１の側部５１５２．１に対向する第２の側部５１５２．２を含む。第２の側部５１５２．２は、加熱板５１２０へ露出されたリザーバ５１１０の底外面を形成するように適合される。例えば、薄膜５１５２の第２の側部５１５２．２により、加熱板５１２０と直接係合するような構造および配置にされた接触面が得られる。
【０１４１】
図示の例において、薄膜５１５２は、概して平面状であり、リザーバの下部に設けられる。しかし、薄膜５１５２は、非平面形状を含み得、リザーバの他の領域に設けてもよい（例えば、水に露出されたリザーバの側壁に沿って設けられ得る）。一実施例において、薄膜５１５２は、ベース下プレート５１４８の１つ以上の壁と重複し得る（例えば、ベース下プレート中の穴にわたって延び、ベース下プレート５１４８の下部および／または側壁に適合および重複するような形状にされた薄膜）。
【０１４２】
一実施例において、膜５１５２は、ベース下プレート５１４８からの別個かつ区別可能な構造として設けられ、動作位置においてベース下プレート５１４８へ固定されるかまたは他の様態で設けられる（例えば、膜５１５２は、ベース下プレート５１４８へ固定された事前形成された構造を含む）。
【０１４３】
一実施例において、膜５１５２は、事前形成された後、ベース下プレート５１４８へインサート成形され得る。別の例において、膜５１５２は、事前形成された後、（例えば接着剤または溶接により）ベース下プレート５１４８へ固定され得る。さらに別の例において、膜５１５２をベース下プレート５１４８へオーバーモールドすることにより、膜５１５２をベース下プレート５１４８へ設けることができる。
【０１４４】
一実施例において、ベース下プレート５１４８を排除してもよいし、あるいは膜を他の様態において支持または強化してもよい（例えば、膜よりもより高剛性の材料の少なくとも１つの補強ストリップが、膜へ埋設されるかまたは他の様態において設けられる）。一実施例において、膜がリザーバの下部全体を構成するように、膜がベース上ボディ５１４６へ設けられ得る。
【０１４５】
事前形成された膜５１５２がベース下プレート５１４８へ設けられる（例えば、インサート成形または接着される）配置構成において、膜は、熱可塑性ポリカーボネート膜材料（例えば、厚さ約０．１ｍｍのＭａｋｒｏｆｏｌＤＥ１−４材料）を含み得、ベース下プレート５１４８は、熱可塑性ポリカーボネート材料（例えば、Ｍａｋｒｏｌｏｎ２４５８（またはＭａｋｒｏｌｏｎ２２５８）材料）を含み得る。しかし、事前形成された膜および／またはベース下プレートは、他の適切な材料も含み得ることが理解されるべきである。
【０１４６】
一実施例において、熱伝導率向上のために膜に１つ以上の添加剤が充填され得、その場合、（例えば機械的安定性の向上のために）膜がより肉厚になり得る。
【０１４７】
例えば、膜はセラミック粉末または金属粉末が充填されたプラスチックを含んでもよいし、あるいは、膜は、複数の膜または層（例えば、金属膜の片側または両側にプラスチック膜と共に金属膜を含むサンドイッチ構造）を含んでもよい。
【０１４８】
一実施例において、熱伝導性の材料（例えば、金属）による粉末コーティングまたはスプレー塗装を加熱板５１２０に対向する膜の第２の側部５１５２．２へ付与することにより、熱伝導率向上が可能になる。
【０１４９】
一実施例において、膜５１５２は、ベース下プレート５１４８の下壁および／または側壁の厚さと異なる厚さを含み得る。例えば、膜の壁厚さは、ベース下プレート５１４８の下壁および／または側壁の壁厚さ未満である。このような配置構成により、所望の性能特性（例えば、大流量における性能、加湿速度、加熱時間）を達成するように、膜厚さを適切に選択することができる。
【０１５０】
一実施例において、膜５１５２は、ベース上ボディ５１４６および／またはベース下プレートの材料と同様の材料を含み得、膜５１５２は、ベース上ボディ５１４６および／またはベース下プレート５１４８の壁の壁厚さ未満の壁厚さを含む。
【０１５１】
一実施例において、図１８〜図２０に示すように、リザーバ５１１０に対し、１つ以上のリブ５１７５が設けられ得る。これらのリブ５１７５は、薄膜５１５２を加熱板５１２０へ押圧させるように適合された力を生成するように薄膜５１５２上に延びるような構造および配置にされる。
【０１５２】
代替的にまたは追加的に、加湿器に対し、加熱板５１２０を薄膜５１５２へ押圧させるような構造および配置にされたバネ状の要素が設けられ得る。
【０１５３】
リザーバの薄膜ベース５１５２により、リザーバ熱伝達特性および信頼性を保持するかまたは向上させつつリザーバの生産コストを低下させる配置構成が得られる。例えば、薄膜ベースの場合、良好な熱接触および良好な加湿器性能が得られかつ例えば加湿器要求および性能に応じた適切な材料の選択が可能になるように充分に肉薄かつ平坦にすることができる点において、有利である。
【０１５４】
一実施例において、薄膜ベースの場合、薄膜ベースの非金属特性（例えば、熱可塑性特性またはエラストマー材料特性）により、防食処理（例えば、耐水処理）が得られ、また、（例えば、加湿用水用の密閉リザーバを形成するために）ベース下プレート５１４８との密閉接続が得られるため、有利であり得る。また、薄膜ベースの非金属特性（例えば、熱可塑性材料またはエラストマー材料の特性）により、複雑な形状をとるような薄膜ベースの製造の促進が可能になり得る。例えば、必要な場合に加湿器の設計要求を満たすような複雑な形状に薄膜ベースを成形することができる。さらに、リザーバが使い捨て型である場合、リザーバの生産コスト低減は特に望ましい。そのような場合、リザーバは、一定の製品寿命のみにわたって使用されることが意図され、病院、患者またはユーザにより、リザーバの定期的交換が行われる。
５.６.２.３  加湿器リザーバドック
【０１５５】
上記したように、加湿器５０００は、加湿器リザーバ５１１０を受容するように構成された（図５〜図８に示すような）加湿器リザーバドック５１３０を含み得る。いくつかの配置において、加湿器リザーバドック５１３０は、リザーバ５１１０を加湿器リザーバドック５１３０内に保持するように構成されたロック機能を含み得る。
５.６.２.４   水位インジケータ
【０１５６】
加湿器リザーバ５１１０は、水位インジケータを含み得る。いくつかの形態において、水位インジケータは、加湿器リザーバ５１１０中の水の量についての１つ以上の兆候を患者１０００または介護者などのユーザへ提供し得る。水位インジケータから提供されるこれら１つ以上の兆候は、最大の所定量の水、その任意の一部の通知を含み得る（例えば、２５％、５０％または７５％または量（例えば、２００ｍｌ、３００ｍｌまたは４００ｍｌ））。
５.６.２.５  加湿器変換器（単数または複数）
【０１５７】
図２１に示すように、加湿器５０００は、ＲＰＴデバイス４０００内に提供された変換器の代わりに、またはそれに加えて、１つ以上の加湿器変換器（センサー）５２１０を含み得る。加湿器変換器５２１０は、図２１に示すような空気圧センサー５２１２、空気流量変換器５２１４、温度センサー５２１６または湿度センサー５２１８のうち１つ以上を含み得る。加湿器変換器５２１０は、１つ以上の出力信号を生成し得る。これらの出力信号は、コントローラ（例えば、ＲＰＴデバイス４０００の中央コントローラおよび／または中央加湿器コントローラ５２５０）へ通信され得る。いくつかの形態において、加湿器変換器は、出力信号をコントローラへ通信しつつ、加湿器５０００の外部に（例えば、空気回路４１７０内に）配置され得る。
５.６.２.５.１  圧力変換器
【０１５８】
１つ以上の圧力変換器５２１２が、ＲＰＴデバイス４０００内に設けられた圧力センサーに加えてまたはＲＰＴデバイス内に設けられた圧力センサーの代わりに加湿器５０００へ設けられ得る。
５.６.２.５.２  流量変換器
【０１５９】
ＲＰＴデバイス４０００内に設けられた流量センサーに加えてまたはＲＰＴデバイス内に設けられた流量センサーの代わりに、１つ以上の流量変換器５２１４が加湿器５０００へ設けられ得る。
５.６.２.５.３  温度変換器
【０１６０】
加湿器５０００は、１つ以上の温度変換器５２１６を含み得る。１つ以上の温度変換器５２１６は、１つ以上の温度（例えば、加熱要素５２４０の温度および／または加湿器出口の空気流れ下流の温度）を測定するように構成され得る。いくつかの形態において、加湿器５０００は、周囲空気の温度を検出する温度センサー５２１６をさらに含み得る。
５.６.２.５.４  湿度変換器
【０１６１】
一形態において、加湿器５０００は、周囲空気などのガスの湿度を検出する１つ以上の湿度センサー５２１８を含み得る。いくつかの形態において、湿度センサー５２１８は、加湿器５０００から送達されるガスの湿度を測定するように、加湿器出口に向かって配置され得る。湿度センサーは、絶対湿度センサーであってもよいし、あるいは相対湿度センサーであってもよい。
５.６.２.６  加熱要素
【０１６２】
いくつかの場合において、加熱要素５２４０は、加湿器リザーバ５１１０中の水量および／または空気流れへの水量のうち１つ以上へ熱入力を提供する加湿器５０００へ設けられ得る。加熱要素５２４０は、電気抵抗加熱トラックなどの熱生成コンポーネントを含み得る。加熱要素５２４０の１つの適切な実施例として、例えばＰＣＴ特許出願国際公開第２０１２／１７１０７２号に記載の層状加熱要素がある。本明細書中、同文献全体を参考のため援用する。
【０１６３】
いくつかの形態において、加熱要素５２４０は、加湿器ベース中へ設けられ得る。加湿器ベース５００６において、主に伝導により熱が加湿器リザーバ５１１０へ送られ得る。
５.６.２.７  加湿器コントローラ
【０１６４】
本技術の１つの配置によれば、加湿器５０００は、図２１に示すような加湿器コントローラ５２５０を含み得る。一形態において、加湿器コントローラ５２５０は、ＲＰＴデバイス４０００の中央コントローラの一部であり得る。別の形態において、加湿器コントローラ５２５０は、中央コントローラと通信し得る別個のコントローラであり得る。
【０１６５】
一形態において、加湿器コントローラ５２５０は、特性（例えば、温度、湿度、圧力および／または流量）の測定を入力として受信し得る（例えばリザーバ５１１０中および／または加湿器５０００中の空気流れ、水の測定）。加湿器コントローラ５２５０は、加湿器アルゴリズムの実行または実施ならびに／あるいは１つ以上の出力信号の送達を行うようにも、構成され得る。
【０１６６】
図２１に示すように、加湿器コントローラ５２５０は、１つ以上のコントローラを含み得る（例えば、中央加湿器コントローラ５２５１、加熱空気回路４１７１の温度を制御するように構成された加熱空気回路コントローラ５２５４および／または加熱要素５２４０の温度を制御するように構成された加熱要素コントローラ５２５２）。
５.７  用語集
【０１６７】
本技術の開示目的のため、本技術の特定の形態において、以下の定義のうち１つ以上が適用され得る。本技術の他の形態において、別の定義も適用され得る。
５.７.１  一般
【０１６８】
空気：本技術の特定の形態において、空気は大気を意味し得、本技術の他の形態において、空気は、他の呼吸可能なガスの組み合わせ（例えば、酸素を豊富に含む大気）を意味し得る。
【０１６９】
雰囲気：本技術の特定の形態において、「雰囲気」という用語は、（ｉ）治療システムまたは患者の外部、および（ｉｉ）治療システムまたは患者を直接包囲するものを意味するものとしてとられるべきである。
【０１７０】
例えば、加湿器に対する雰囲気湿度とは、加湿器を直接包囲する空気の湿度であり得る（例えば、患者が睡眠をとっている部屋の内部の湿度）。このような雰囲気湿度は、患者が睡眠をとっている部屋の外部の湿度と異なる場合がある。
【０１７１】
別の実施例において、雰囲気圧力は、身体の直接周囲または外部の圧力であり得る。
【０１７２】
特定の形態において、雰囲気（例えば、音響）ノイズは、例えばＲＰＴデバイスから発生するかまたはマスクまたは患者インターフェースから発生するノイズ以外の、患者の居る部屋の中の背景ノイズレベルとみなすことができる。雰囲気ノイズは、部屋の外の発生源から発生し得る。
【０１７３】
自動的な気道陽圧（ＡＰＡＰ）療法：ＳＤＢ発症の兆候の存在または不在に応じて、例えば、呼吸間に最小限界と最大限界との間で治療圧力を自動的に調節することが可能なＣＰＡＰ療法。
【０１７４】
持続的気道陽圧（ＣＰＡＰ）療法：治療圧力が患者の呼吸サイクルを通じてほぼ一定である呼吸圧療法。いくつかの形態において、気道への入口における圧力は、呼息時において若干上昇し、吸息時において若干低下する。いくつかの形態において、圧力は、患者の異なる呼吸サイクル間において変動する（例えば、部分的な上気道閉塞の兆候の検出に応答して増加され、部分的な上気道閉塞の通知の不在時において低減される）。
【０１７５】
流量：単位時間あたりに送出される空気の瞬時の量（または質量）。流量とは、瞬間の量を指し得る。場合によっては、流量について言及した場合、スカラー量（すなわち、大きさのみを有する量）を指す。他の場合において、流量について言及した場合、ベクトル量（すなわち、大きさおよび方向両方を持つ量）を指す。流量には、符号Ｑが付与され得る。「流量」を簡略的に「流れ」もしくは「気流」と呼ぶ場合もある。
【０１７６】
患者の呼吸の実施例において、流量は、患者の呼吸サイクルの吸気部分に対してノミナルに陽圧であり得るため、患者の呼吸サイクルの呼気部分に対して負であり得る。合計流量Ｑｔは、ＲＰＴデバイスから退出する空気の流量である。通気流量Ｑｖは、吐き出されたガスの流出を可能にするために通気孔から退出する空気の流量である。漏洩流量Ｑｌは、患者インターフェースシステムまたは他の場所からの漏洩の流量である。呼吸流量Ｑｒは、患者の呼吸器系中に受容される空気の流量である。
【０１７７】
加湿器：「加湿器」という単語は、患者の医療呼吸状態を改善するために治療上有益な量の水（Ｈ２Ｏ）蒸気を空気流れへ提供することが可能な物理的構造を備えて構築、配置または構成された加湿装置を意味するものとして解釈される。
【０１７８】
漏洩：「漏洩」という用語は、意図しない空気流れとしてとられる。一実施例において、漏洩は、マスクと患者の顔との間のシールが不完全であることに起因して発生し得る。別の実施例において、漏洩は、周囲に対するスイベルエルボーにおいて発生し得る。
【０１７９】
ノイズ伝導（音響）：本文書において、伝導ノイズとは、空気圧式経路（例えば、空気回路および患者インターフェースおよびその内部の空気）によって患者へ搬送されるノイズを指す。一形態において、伝導ノイズは、空気回路の端部における音圧レベルを測定することにより、定量化され得る。
【０１８０】
ノイズ放射（音響）：本文書において、放射ノイズとは、周囲空気によって患者へ搬送されるノイズを指す。一形態において、放射ノイズは、当該対象の音響パワー／圧力レベルをＩＳＯ３７４４に従って測定することにより、定量化され得る。
【０１８１】
ノイズ通気（音響）：本文書において、通気ノイズとは、任意の通気（例えば、患者インターフェース中の通気穴）を通じた空気流れにより生成されるノイズを指す。
【０１８２】
患者：呼吸器疾患に罹患しているかまたはしていない人。
【０１８３】
圧力:単位面積あたりの力。圧力は、多様な単位で表現測定され得る（例えば、ｃｍＨ２Ｏ、ｇ−ｆ／ｃｍ２、及びヘクトパスカル）。１ｃｍＨ２Ｏは、１ｇ−ｆ／ｃｍ２に等しく、およそ０．９８ヘクトパスカルである。本明細書において、他に明記無き限り、圧力はｃｍＨ２Ｏの単位で付与される。
【０１８４】
患者インターフェース中の圧力には記号Ｐｍが付与され、現時点においてマスク圧力Ｐｍが達成すべき目標値を表す治療圧力には記号Ｐｔが付与される。
【０１８５】
呼吸圧力治療（ＲＰＴ）：雰囲気に対して典型的には陽圧である治療圧力における空気供給の気道入口への付加。
【０１８６】
人工呼吸器：患者が呼吸動作の一部または全てを行い際に圧力補助を提供する機械的デバイス。
５.７.１.１  材料
【０１８７】
シリコーンまたはシリコーンエラストマー：合成ゴム。本明細書において、シリコーンについて言及される場合、液体シリコーンゴム（ＬＳＲ）または圧縮成形シリコーンゴム（ＣＭＳＲ）を指す。市販のＬＳＲの一形態として、Ｄｏｗ  Ｃｏｒｎｉｎｇによって製造されるＳＩＬＡＳＴＩＣ（この登録商標下において販売される製品群に含まれる）がある。別のＬＳＲ製造業者として、Ｗａｃｋｅｒがある。他に逆の明記無き限り、例示的形態のＬＳＲのＡＳＴＭＤ２２４０によって測定した場合のショアＡ（またはタイプＡ）押込み硬さは、約３５〜約４５である。
【０１８８】
ポリカーボネート：ビスフェノールＡカーボネートの熱可塑性ポリマーである。
５.７.１.２  機械的特性
【０１８９】
弾性：弾性変形時にエネルギーを吸収することおよび除荷時にエネルギーを解放することが可能な材料の能力。
【０１９０】
弾性のある：除荷時に実質的に全てのエネルギーを解放する。例えば特定のシリコーンおよび熱可塑性エラストマーを含む。
【０１９１】
硬度：材料自体の変形に抵抗する能力（例えば、ヤング係数または規格化されたサンプルサイズ上において測定された押込硬さスケールによって記述されたもの）。
「軟性」材料は、シリコーンまたは熱可塑性エラストマー（ＴＰＥ）を含み得、例えば指圧力下において容易に変形し得る。
「硬質」材料は、ポリカーボネート、ポリプロピレン、鋼またはアルミニウムを含み得、例えば指圧力下において容易に変形し得ない。
【０１９２】
構造または構成要素の剛度（または剛性）：構造または構成要素が負荷を受けたときに変形に抵抗する能力。負荷は、力またはモーメントであり得る（例えば、圧縮、伸張、屈曲またはねじれ）。構造または構成要素は、異なる方向において異なる抵抗を提供し得る。
【０１９３】
フロッピー構造または構成要素：自重を支持させられた際に比較的短期間（例えば、１秒）以内に形状を変化させる（例えば、屈曲する）構造または構成要素。
【０１９４】
剛性の構造または構成要素：使用時において典型的に遭遇する負荷を受けた際に実質的に形状変化の無い構造または構成要素。このような用途の実施例として、患者インターフェースを例えばおよそ２０〜３０ｃｍＨ２Ｏの圧力の負荷において患者気道入口に対して密閉した様態でセットアップおよび維持することがあり得る。
【０１９５】
一実施例として、Ｉ形ばりは、第２の直交方向と比較した第１の方向において、異なる曲げ剛性（曲げ負荷に対する抵抗）を含み得る。別の実施例において、構造または構成要素は、第１の方向においてはフロッピーであり得、第２の方向においては剛性であり得る。
５.７.２  患者インターフェース
【０１９６】
窒息防止弁（ＡＡＶ）：マスクシステムの構成要素またはサブアセンブリであり、フェールセーフ様態での雰囲気中への開口により、患者による過度のＣＯ２の再呼吸の危険性を低減させる。
【０１９７】
エルボー：エルボーは、内部を移動する空気の流れの軸を方向付けて、角度を通じて方向を変化させる構造の実施例である。一形態において、角度はおよそ９０度であり得る。別の形態において、角度は、９０度超過または未満であり得る。エルボーは、ほぼ円形の断面を持ち得る。別の形態において、エルボーは、楕円または矩形の断面を持ち得る。特定の形態において、エルボーは、噛み合い構成要素に対して例えば約３６０度で回転可能であり得る。特定の形態において、エルボーは、噛み合い構成要素から例えばスナップ接続を介して取り外すことが可能であり得る。特定の形態において、エルボーは、製造時にワンタイムスナップを介して噛み合い構成要素へ組み付けることが可能である一方、患者が取り外すことはできない。
【０１９８】
フレーム:フレームは、ヘッドギアを接続する２つ以上の点間の引張荷重を支持するマスク構造を意味するものとしてとられる。マスクフレームは、マスク中の非気密負荷支持構造であり得る。しかし、いくつかの形態のマスクフレームは、気密であってもよい。
【０１９９】
ヘッドギア:ヘッドギアは、頭部上において使用されるように設計された、一形態の位置決めおよび安定化構造を意味するものとしてとられる。例えば、ヘッドギアは、患者インターフェースを呼吸治療の送達のために患者の顔上の所定位置に配置および保持するように構成された１つ以上の支柱、タイおよび補剛材の集合を含み得る。いくつかのタイは、柔らかい可撓性の弾性材料（例えば、発泡材料および布地の層状複合材）によって形成される。
【０２００】
膜:膜は、典型的には肉薄の要素を意味するものとしてとられ、好適には屈曲に対して実質的に抵抗せずかつ伸縮に対しては抵抗する。
【０２０１】
プレナムチャンバ:マスクプレナムチャンバは、空間の容積を少なくとも部分的に封入する壁を有する患者インターフェースの一部を意味するものとしてとられ、容積中の空気は、加圧されて使用時において気圧を超える。シェルは、マスクプレナムチャンバの壁の一部を形成し得る。
【０２０２】
シール:名詞（「シール」）として用いられる場合は構造を指し得、動詞（「密閉（する）」）として用いられる場合はその効果を指し得る。２つの要素は、別個の「シール」要素自体を必要とすることなく両者間において「シール」するかまたは「密閉」効果を得るように、構築および／または配置され得る。
【０２０３】
シェル:シェルは、屈曲、引っ張りおよび圧縮剛性を有する曲線状の比較的肉薄構造を意味するものとしてとられる。例えば、マスクの曲線状構造壁は、シェルであり得る。いくつかの形態において、シェルはファセットされ得る。いくつかの形態において、シェルは気密であり得る。いくつかの形態において、シェルは気密でない場合もある。
【０２０４】
補剛材:補剛材は、別の構成要素の剛軟度を少なくとも１つの方向において増加させるように設計された構造構成要素を意味するものとしてとられる。
【０２０５】
支柱:支柱は、別の構成要素の圧縮抵抗を少なくとも１つの方向において増加させるように設計された構造構成要素を意味するものとしてとられる。
【０２０６】
スイベル（名詞）：構成要素のサブアセンブリであり、共通軸の周囲において好適には独立して好適には低トルク下において回転するように構成される。一形態において、スイベルは、少なくとも３６０度の角度で回転するように構成され得る。別の形態において、スイベルは、３６０度未満の角度で回転するように構成され得る。空気送達導管の文脈において用いられる場合、構成要素のサブアセンブリは好適には、一対組み合わせの円筒導管を含む。使用時において、スイベルからの空気流れの漏れはほとんど無い。
【０２０７】
タイ（名詞）：張力に抵抗するように設計された構造。
【０２０８】
通気：（名詞）：マスクまたは導管の内部の周囲空気への空気流れを可能にする構造であり、吐き出されたガスの臨床的に有効な洗い流しを可能にする。例えば、臨床的に有効な洗い流しにおいては、約１０リットル／分〜約１００リットル／分の流量がマスク設計および治療圧力に応じて用いられ得る。
５.７.３  構造の形状
【０２０９】
本技術による製品は、１つ以上の三次元機械構造（例えば、マスククッションまたはインペラ）を含み得る。三次元構造は、二次元表面によって制限され得る。これらの表面は、関連付けられた表面の方向、位置、機能または他の何らかの特性を記述するためのラベルを用いて区別され得る。例えば、構造は、前表面、後表面、内面および外面のうち１つ以上を含み得る。別の実施例において、シール形成構造は、顔接触（例えば、外側の）表面と、別個の非顔接触（例えば、下側または内側の）表面を含み得る。別の実施例において、構造は、第１の表面および第２の表面を含み得る。
【０２１０】
三次元構造の形状および表面の説明を容易にするために、構造の表面を通じた点ｐにおける断面について先ず検討する。図３Ｂ〜図３Ｆを参照されたい。図３Ｂ〜図３Ｆは、表面上における点ｐにおける断面例と、その結果得られる平面曲線の例とを示す。図３Ｂ〜図３Ｆは、ｐにおける外向き法線ベクトルも示す。ｐにおける外向き法線ベクトルは、表面から離隔方向に延びる。いくつかの実施例において、架空の小さな人が表面上に直立している観点から、この表面について説明する。
５.７.３.１  一次元における曲率
【０２１１】
ｐにおける平面曲線の曲率は、符号（例えば、正、負）および大きさ（例えば、ｐにおいて曲線に接する円形の１／半径）を持つものとして記述され得る。
【０２１２】
正の曲率：ｐにおける曲線が外向き法線に向かって曲がる場合、その点における曲率は、正の値を持つものとしてとられる（この架空の小さな人が点ｐから立ち去る場合、上り坂を歩行する必要がある）。図３Ｂ（図３Ｃと比較して比較的大きな正の曲率）および図３Ｃ（図３Ｂと比較して比較的小さな正の曲率）を参照されたい。このような曲線を、凹状と呼ぶことが多い。
【０２１３】
ゼロ曲率：ｐにおける曲線が直線である場合、曲率はゼロとしてとられる（この架空の小さな人が点ｐから立ち去る場合、上向きでも下向きでもない水平面を歩行することができる）。図３Ｄを参照されたい。
【０２１４】
負の曲率：ｐにおける曲線が外向き法線から離隔方向に曲がる場合、その点およびその方向における曲率は、負の値を持つものとしてとられる（この架空の小さな人が点ｐから立ち去る場合、下り坂を歩行する必要がある）。図３Ｅ（図３Ｆと比較して比較的小さな負の曲率）および図３Ｆ（図３Ｅと比較して比較的大きな負の曲率）を参照されたい。このような曲線は、凸状と呼ばれることが多い。
５.７.３.２  二次元表面の曲率
【０２１５】
本技術による二次元表面上の所与の点における形状の記述は、複数の垂直断面を含み得る。複数の断面は、外向き法線（「法平面」）を含む面において表面を切断し得、各断面は、異なる方向においてとられ得る。各断面の結果、対応する曲率を有する平面曲線が得られる。その点における異なる曲率は、同一符号または異なる符号を持ち得る。その点における曲率はそれぞれ、（例えば、比較的小さな）大きさを有する。図３Ｂ〜図３Ｆ中の平面曲線は、特定の点におけるこのような複数の断面の例であり得る。
【０２１６】
主要な曲率および方向：曲線の曲率が最大値および最小値をとる法平面の方向を主要な方向と呼ぶ。図３Ｂ〜図３Ｆの実施例において、最大曲率は図３Ｂにおいて発生し、最小は図３Ｆにおいて発生するため、図３Ｂおよび図３Ｆは、主要な方向における断面である。ｐにおける主要な曲率は、主要な方向における曲率である。
【０２１７】
表面の領域：表面上の連結された点の集合。領域内のこの１組の点は、類似の特性（例えば、曲率または符号）を持ち得る。
【０２１８】
サドル領域：（上り坂または下り坂を歩行し得る架空の人が向く方向に応じて）各点において主要な曲率が反対の符号（すなわち、片方が正の符号および他方が負の符号）を有する領域。
【０２１９】
ドーム領域：各点において主要な曲率が同一符号（双方とも正（「凹状ドーム」）または双方とも負（「凸状ドーム」））を持つ領域。
【０２２０】
円筒型領域：１つの主要な曲率がゼロ（または、例えば製造公差内のゼロ）をとり、他方の主要な曲率が非ゼロである領域。
【０２２１】
平面領域：主要な曲率双方がゼロであるか（または例えば製造交差内のゼロである）表面の領域。
【０２２２】
表面の縁部：表面または領域の境界または限界。
【０２２３】
経路：本技術の特定の形態において、「経路」は、数学的−トポロジー的意味合いにおける経路（例えば、表面上におけるｆ（０）からｆ（１）への連続空間曲線）を意味するものとしてとられる。本技術の特定の形態において、「経路」は、例えば表面上の１組の点を含むルートまたはコースとして記述され得る。（架空の人の経路は、表面上において歩行する場所であり、庭の経路に類似する）。
【０２２４】
経路長さ：本技術の特定の形態において、「経路長さ」とは、表面に沿ったｆ（０）からｆ（１）への距離（すなわち、表面上の経路に沿った距離）を指すものとしてとられる。表面上の２つの点間において１つよりも多くの経路があり得、このような経路は、異なる経路長さを持ち得る。（架空の人の経路長さは、表面上を経路に沿って歩行する距離である）。
【０２２５】
直線距離：直線距離は、表面上の２つの点間の距離であるが、表面は考慮しない。平面領域上において、表面上の２つの点間の直線距離と同一の経路長さを有する表縁上の距離がある。非平面表面上において、２つの点間の直線距離と同一の経路長さを有する経路は存在し得ない。（架空の人にとって、直線距離は、「カラスが飛ぶ」距離に対応する）。
５.７.３.３  空間曲線
【０２２６】
空間曲線:平面曲線と異なり、空間曲線は、任意の特定の平面内に必ずしも存在しない。空間曲線は閉鎖され得る。すなわち、終点を有さない。空間曲線は、三次元空間の一次元ピースとみなされ得る。ＤＮＡ螺旋の鎖上を歩行している架空の人物は、空間曲線に沿って歩行する。典型的なヒトの左耳は、左手螺旋を含む（図３Ｑを参照）。典型的なヒトの右耳は、右手螺旋を含む（図３Ｒを参照）。図３Ｓは、右手螺旋を示す。構造の縁部（例えば、膜または羽根車の縁部）は、空間曲線をたどり得る。一般的に、空間曲線は、空間曲線上の各点における曲率およびねじれによって記述され得る。ねじれとは、平面から発生する曲線の様態の尺度である。ねじれは、符号および大きさを有する。空間曲線上の点におけるねじれは、当該点における接線ベクトル、法線ベクトルおよび従法線ベクトルに対して特徴付けられ得る。
【０２２７】
接線単位ベクトル（または単位接線ベクトル）：曲線上の各点について、当該点におけるベクトルは、当該点からの方向および大きさを指定する。接線単位ベクトルとは、当該点における曲線と同じ方向を向く単位ベクトルである。架空の人物が曲線に沿って飛行しており、特定の点において自身の車両から落ちた場合、接線ベクトルの方向は、その人物が移動しているはずの方向である。
【０２２８】
単位法線ベクトル：架空の人物が曲線に沿って移動している場合、この接線ベクトルそのものが変化する。接線ベクトルが変化している方向と同じ方向を向く単位ベクトルは、単位主法線ベクトルと呼ばれる。これは、接線ベクトルに対して垂直である。
【０２２９】
従法線単位ベクトル：従法線単位ベクトルは、接線ベクトルおよび主法線ベクトル双方に対して垂直である。その方向は、右手の法則（例えば図３Ｐを参照）または表すあるいは左手の法則（図３Ｏ）によって決定され得る。
【０２３０】
接触平面：単位接線ベクトルおよび単位主法線ベクトルを含む平面。図３Ｏおよび図３Ｐを参照されたい。
【０２３１】
空間曲線のねじれ：空間曲線の点におけるねじれとは、当該点における従法線単位ベクトルの変化速度の大きさである。これは、曲線の接触平面からの逸脱の程度を測定する。平面内にある空間曲線のねじれはゼロである。空間曲線の接触平面からの逸脱が比較的少量である場合、その空間曲線のねじれの大きさは比較的小さい（例えば、緩やかに傾斜する螺旋状経路）。空間曲線の接触平面からの逸脱が比較的大量である場合、その空間曲線のねじれの大きさは比較的大きい（例えば、急勾配に傾斜する螺旋状経路）。図３Ｓを参照して、Ｔ２＞Ｔ１であるため、図３Ｓの螺旋の最上部コイルの近隣のねじれの大きさは、図３Ｓの螺旋の最下部コイルのねじれの大きさよりも大きい。
【０２３２】
図３Ｐの右手の法則を参照して、右手従法線の方向に向かって曲がる空間曲線は、右手方向に正のねじれとしてみなされ得る（例えば、図３Ｓに示すような右手螺旋）。右手従法線方向から離隔方向を向く空間曲線は、右手の負のねじれを持つものとしてみなされ得る（例えば、左手螺旋）。
【０２３３】
同様に、左手の法則（図３Ｏを参照）を参照して、左手従法線方向を向く空間曲線は、左手の正のねじれ（例えば、左手螺旋）を持つものとしてみなされ得る。よって、左手の正の方向は、右手の負の方向に相当する。図３Ｔを参照されたい。
５.７.３.４  穴
【０２３４】
表面は、一次元穴を持ち得る（例えば、平面曲線または空間曲線によって境界付けられた穴）。穴を含む肉薄構造（例えば、膜）の場合、この構造は、一次元穴を有するものとして記述され得る。例えば、図３Ｉに示す構造の表面中の一次元穴が平面曲線によって境界付けられる様子を参照されたい。
【０２３５】
構造は、二次元穴（例えば、表面によって境界付けられた穴）を持ち得る。例えば、可膨張性タイヤは、タイヤ内面によって境界付けられた二次元穴を有する。別の実施例において、空気またはゲルのための空洞を備えたブラダーは、二次元穴を持ち得る。例えば図３Ｌのクッション、および二次元穴を境界付ける内面が示される図３Ｍおよび図３Ｎにおける図３Ｌの例示的断面を参照されたい。さらに別の実施例において、導管は、（例えばその入口またはその出口において）一次元穴を含み得、導管の内面によって境界付けられた二次元穴を含み得る。図３Ｋに示す構造を通じておりかつ図示のように表面によって境界付けられた二次元穴も参照されたい。
５.８  他の注意事項
【０２３６】
本特許文書の開示の一部は、著作権保護が与えられる内容を含む。著作権所有者は、何者かが本特許文書または本特許開示をファックスにより再生しても、特許庁の特許ファイルまたは記録に記載されるものであれば目的のものであれば異論は無いが、その他の目的については全ての著作権を保持する。
【０２３７】
他に文脈から明確に分かる場合および一定の範囲の値が提供されていない限り、下限の単位の１／１０、当該範囲の上限と下限の間、および記載の範囲の他の任意の記載の値または介入値に対する各介入値は本技術に包含されることが理解される。介入範囲中に独立的に含まれるこれらの介入範囲の上限および下限が記載の範囲における制限を特に超えた場合も、本技術に包含される。記載の範囲がこれらの制限のうち１つまたは双方を含む場合、これらの記載の制限のいずれかまたは双方を超える範囲も、本技術に包含される。
【０２３８】
さらに、本明細書中に値（単数または複数）が本技術の一部として具現される場合、他に明記無き限り、このような値が近似され得、実際的な技術的実行が許容または要求する範囲まで任意の適切な有効桁までこのような値を用いることが可能であると理解される。
【０２３９】
他に明記しない限り、本明細書中の全ての技術用語および科学用語は、本技術が属する分野の当業者が一般的に理解するような意味と同じ意味を持つ。本明細書中に記載の方法および材料に類似するかまたは等しい任意の方法および材料を本技術の実践または試験において用いることが可能であるが、限られた数の例示的方法および材料が本明細書中に記載される。
【０２４０】
特定の材料が構成要素の構築に好適に用いられるものとして記載されているが、特性が類似する明白な代替的材料が代替物として用いられる。さらに、それとは反対に記載無き限り、本明細書中に記載される任意および全ての構成要素は、製造可能なものとして理解されるため、集合的にまたは別個に製造され得る。
【０２４１】
本明細書中及び添付の特許請求の範囲において用いられるように、単数形である「ａ」、「ａｎ」および「ｔｈｅ」は、文脈から明らかにそうでないことが示されない限り、その複数の均等物を含む点に留意されたい。
【０２４２】
本明細書中に記載される公開文献は全て、これらの公開文献の対象である方法および／または材料の開示および記載、参考のために援用される。本明細書中に記載の公開文献は、本出願の出願日前のその開示内容のみのために提供するものである。本明細書中のいずれの内容も、本技術が先行特許のためにこのような公開文献に先行していない、認めるものと解釈されるべきではない。さらに、記載の公開文献の日付は、実際の公開文献の日付と異なる場合があり、個別に確認が必要であり得る。
【０２４３】
「ｃｏｍｐｒｉｓｅｓ」および「ｃｏｍｐｒｉｓｉｎｇ」という用語は、要素、構成要素またはステップを非排他的な意味合いで指すものとして解釈されるべきであり、記載の要素、構成要素またはステップが明記されていない他の要素、構成要素またはステップと共に存在、利用または結合され得ることを示す。
【０２４４】
詳細な説明において用いられる見出しは、読者の便宜のためのものであり、本開示または特許請求の範囲全体において見受けられる内容を制限するために用いられるべきではない。これらの見出しは、特許請求の範囲または特許請求の範囲の制限の範囲の解釈において用いられるべきではない。
【０２４５】
本明細書中の技術について、特定の実施例を参照して述べてきたが、これらの実施例は本技術の原理および用途を例示したものに過ぎないことが理解されるべきである。いくつかの場合において、用語および記号は、本技術の実施に不要な特定の詳細を示し得る。例えば、「ｆｉｒｓｔ（第１の）」および「ｓｅｃｏｎｄ（第２の）」（など）という用語が用いられるが、他に明記無き限り、これらの用語は任意の順序を示すことを意図しておらず、別個の要素を区別するために用いられる。さらに、本方法におけるプロセスステップについての記載または例示を順序付けて述べる場合があるが、このような順序は不要である。当業者であれば、このような順序が変更可能でありかつ／またはその態様を同時にまたはさらに同期的に行うことが可能であることを認識する。
【０２４６】
よって、本技術の意図および範囲から逸脱することなく、例示的な実施例において多数の変更例が可能であり、また、他の配置構成が考案され得ることが理解されるべきである。
【符号の説明】
【０２４７】
[参照符号のリスト] 
５.９  参照符号のリスト
特徴アイテム  番号
患者  1000
同床者  1100
患者インターフェース  3000
シール形成構造  3100
プレナムチャンバ  3200
安定化構造  3300
通気  3400
接続ポート  3600
前額支持部  3700
ＲＰＴデバイス  4000
空気回路  4170
加湿器  5000
水リザーバ  5110
リザーバベース  5112
リザーバリード  5114
コンプライアント部5116
入口  5118
加熱板  5120
出口  5122
水リザーバドック  5130
オリフィス  5138
ベース上側ボディ  5146
ベース底部プレート  5148
側壁  5149.1
底壁  5149.2
穴  5149.3
薄膜  5152
第１の側面  5152.1
第２の側面  5152.2
ヒンジ  5158
キャビティ  5160
ドック空気出口  5168
ドック空気入口  5170
加湿器出口  5172
リブ  5175
加湿器変換器  5210
空気圧力センサー  5212
流量変換器  5214
温度センサー  5216
湿度センサー  5218
内側リップ  5224
外側リップ  5226
加熱要素  5240
加湿器コントローラ  5250
中央加湿器コントローラ  5251
加熱要素コントローラ  5252
空気回路コントローラ  5254
【図１Ａ】
2019536545.tif 000007
【図１Ｂ】
2019536545.tif 000008
【図１Ｃ】
2019536545.tif 000009
【図２Ａ】
2019536545.tif 000010
【図２Ｂ】
2019536545.tif 000011
【図３Ａ】
2019536545.tif 000012
【図３Ｂ】
2019536545.tif 000013
【図３Ｃ】
2019536545.tif 000014
【図３Ｄ】
2019536545.tif 000015
【図３Ｅ】
2019536545.tif 000016
【図３Ｆ】
2019536545.tif 000017
【図３Ｇ】
2019536545.tif 000018
【図３Ｈ】
2019536545.tif 000019
【図３Ｉ】
2019536545.tif 000020
【図３Ｊ】
2019536545.tif 000021
【図３Ｋ】
2019536545.tif 000022
【図３Ｌ】
2019536545.tif 000023
【図３Ｍ】
2019536545.tif 000024
【図３Ｎ】
2019536545.tif 000025
【図３Ｏ】
2019536545.tif 000026
【図３Ｐ】
2019536545.tif 000027
【図３Ｑ】
2019536545.tif 000028
【図３Ｒ】
2019536545.tif 000029
【図３Ｓ】
2019536545.tif 000030
【図３Ｔ】
2019536545.tif 000031
【図４Ａ】
2019536545.tif 000032
【図５】
2019536545.tif 000033
【図６】
2019536545.tif 000034
【図７】
2019536545.tif 000035
【図８】
2019536545.tif 000036
【図９】
2019536545.tif 000037
【図１０】
2019536545.tif 000038
【図１１】
2019536545.tif 000039
【図１２】
2019536545.tif 000040
【図１３】
2019536545.tif 000041
【図１４】
2019536545.tif 000042
【図１５】
2019536545.tif 000043
【図１６】
2019536545.tif 000044
【図１７】
2019536545.tif 000045
【図１８】
2019536545.tif 000046
【図１９】
2019536545.tif 000047
【図２０】
2019536545.tif 000048
【図２１】
2019536545.tif 000049
【手続補正書】
【提出日】平成30年9月18日(2018.9.18)
【手続補正１】
【補正対象書類名】特許請求の範囲
【補正対象項目名】全文
【補正方法】変更
【補正の内容】
【特許請求の範囲】
【請求項１】
呼吸可能なガスの流れを加湿する装置のための水リザーバであって、
液体の体積を保持するような構造にされたキャビティを含むリザーバベースと、
前記リザーバベースへ設けられた薄膜であって、使用時に、前記薄膜は、加熱板から前記液体の体積への熱の熱伝導が可能となるように前記加熱板と熱係合するように適合される、薄膜と、
を含み、
前記薄膜は、前記液体の体積へ露出された前記水リザーバの底内面を形成するように構成された第１の側部と、前記第１の側部に対向する第２の側部とを含み、前記第２の側部は、前記加熱板へ露出された前記水リザーバの底外面を形成するように構成されており、
前記薄膜は、非金属製材料を含み、
前記薄膜は、約１ｍｍ未満の壁厚さを含む、水リザーバ。
【請求項２】
前記壁厚さは約０．５ｍｍ未満である、請求項１に記載の水リザーバ。
【請求項３】
前記薄膜は、シリコーン、ポリカーボネートまたは他の熱可塑性材料またはエラストマー材料を含む、請求項１〜２のいずれか一項に記載の水リザーバ。
【請求項４】
前記薄膜は、前記リザーバベースと別個かつ区別可能な構造として設けられる、請求項１〜３のいずれか一項に記載の水リザーバ。
【請求項５】
前記薄膜は、前記リザーバベースへ固定されるかまたは他の方法で固定された事前形成された構造を含む、請求項１〜４のいずれか一項に記載の水リザーバ。
【請求項６】
前記リザーバベースは、前記薄膜を受容するような構造にされた穴を含む、請求項１〜５のいずれか一項に記載の水リザーバ。
【請求項７】
前記薄膜は、前記穴の形状に対応する形状を含む、請求項６に記載の水リザーバ。
【請求項８】
前記薄膜は、概して平面状である、請求項１〜７のいずれか一項に記載の水リザーバ。
【請求項９】
前記薄膜の前記第２の側部により、前記加熱板と直接係合するような構造および配置にされた接触面が得られる、請求項１〜８のいずれか一項に記載の水リザーバ。
【請求項１０】
前記薄膜の前記非金属製材料は、前記リザーバベースの材料に類似する、請求項１〜９のいずれか一項に記載の水リザーバ。
【請求項１１】
前記薄膜の厚さは、前記リザーバベースの壁の壁厚さ未満である、請求項１〜１０のいずれか一項に記載の水リザーバ。
【請求項１２】
前記薄膜を前記加熱板へ押圧させるように適合された力を生成するように前記薄膜上に延びるような構造および配置にされた１つ以上のリブをさらに含む、請求項１〜１１のいずれか一項に記載の水リザーバ。
【請求項１３】
前記リザーバベースは、ベース上側ボディ、ベース下部プレートおよび前記薄膜を含み、前記ベース上側ボディ、前記ベース下部プレートおよび前記薄膜により前記キャビティが形成される、請求項１〜１２のいずれか一項に記載の水リザーバ。
【請求項１４】
リザーバ蓋をさらに含み、前記リザーバ蓋は、前記水リザーバを開口構成と閉鎖構成との間で変換させることが可能なように、前記リザーバベースへ移動可能に接続される、請求項１〜１３のいずれか一項に記載の水リザーバ。
【請求項１５】
呼吸可能なガスの流れを加湿する装置のための水リザーバであって、
液体の体積を保持するような構造にされたキャビティを形成する底壁および側壁を含むリザーバベースと、
前記リザーバベースへ設けられた伝導性部位であって、使用時に、前記伝導性部位は、加熱板から前記液体の体積への熱の熱伝導が可能となるように前記加熱板と熱係合するように適合される、伝導性部位と、
を含み、
前記伝導性部位は、非金属製材料を含む薄膜を含み、
前記薄膜は、前記リザーバベースと別個かつ区別可能な構造として設けられ、
前記薄膜は、前記リザーバベースの底壁および側壁の壁厚さ未満の壁厚さを含み、
前記薄膜は、前記液体の体積へ露出された前記水リザーバの底内面を形成するように構成された第１の側部と、前記第１の側部に対向する第２の側部とを含み、前記第２の側部は、前記加熱板へ露出された前記水リザーバの底外面を形成するように構成されている、水リザーバ。
【請求項１６】
前記薄膜は、前記リザーバベースへ固定されるかまたは他の方法で固定された事前形成された構造を含む、請求項１５に記載の水リザーバ。
【請求項１７】
呼吸可能なガスの流れを加湿する装置であって、
水リザーバドックと、
前記水リザーバドックへ設けられる、請求項１〜１６のいずれか一項に記載の水リザーバと、
を含む、装置。
【請求項１８】
前記水リザーバドックは、前記水リザーバを受容するキャビティを形成する、請求項１７に記載の装置。
【請求項１９】
前記水リザーバドックは、前記水リザーバへ設けられた前記薄膜と熱係合するように適合された前記加熱板を含む、請求項１７または１８に記載の装置。
【国際調査報告】
2019536545.tif 000050
2019536545.tif 000051
2019536545.tif 000052
2019536545.tif 000053
2019536545.tif 000054